(57)【特許請求の範囲】
【請求項１】
本体部材と、この本体部材の前面側を覆う前面扉と、この前面扉を開放操作するための鍵操作機構とを備える遊技機であって、
前記前面扉が、対向する一対の端縁部でそれぞれ軸支機構により遊技機本体側の部材に着脱可能に軸支され、
前記鍵操作機構を操作することにより、前記一対の軸支機構における軸支状態のうちのいずれか一方を軸として開閉可能に構成されており、
前記鍵操作機構が、鍵を挿入して一方に回転させると、この鍵の一方の回転による動力が伝達機構を介して伝達されることにより、前記一対の軸支機構における軸支状態のうちのいずれか一方を解除することができ、鍵を挿入して他方に回転させると、この鍵の他方の回転による動力が伝達機構を介して伝達されることにより、前記一対の軸支機構における軸支状態のうちの他方を解除することができるように構成され、
前記前面扉が軸支される遊技機本体側の部材が内枠となっており、さらに該内枠が、遊技機本体側の別の部材に軸支されるとともに内枠係合部により該別の部材に係合して閉じた状態に拘束され得るようになっており、前記鍵操作機構が、鍵を挿入して押し込みながら回転させると、この鍵の回転による動力が前記内枠係合部に伝達されることにより、前記遊技機本体側の別の部材に対して前記内枠が閉じて拘束された状態が解除されるように構成されていることを特徴とする遊技機。
【請求項２】
前記軸支機構が、前記遊技機本体側の部材に配設された一対の作動片と、前記前面扉に配設された回転軸とを有して構成され、前記一対の作動片が、開閉可能に構成されて付勢手段で付勢されることにより通常は合わさって閉じた体勢に保持され、両作動片にはそれぞれ軸嵌合切欠が設けられ、両作動片が閉じるのにともない両軸嵌合切欠が一体となって軸挿通孔が形成されるように構成されていることを特徴とする、請求項１に記載の遊技機。
【発明の詳細な説明】
【技術分野】
【０００１】
本発明は、パチンコ機に代表される遊技機に関するものである。
【背景技術】
【０００２】
パチンコ機などの遊技機は、発射された遊技球が案内されて流下する遊技領域が前面に形成された遊技盤と、この遊技盤の盤面を前方からガラス等を通して視認可能な状態で覆う前面枠等の部材とを備えるものが一般的である。上記前面枠等の部材は、通常、一方側縁で軸支されて開き戸式に開閉可能に取り付けられており、例えば、遊技盤の盤面に植設された釘を調整したり、遊技領域を流下する途上でいずれかの部位に引っ掛かった遊技球を取り除いたり、遊技球の通過により汚れた盤面を清掃したりといった各種の作業の際には、この前面枠等の部材を開放して前方から作業できるようになっている（以下、この前面枠等のように、遊技盤を前方から覆う開閉可能な部材を総称して「前面扉」とも称す）。
【先行技術文献】
【特許文献】
【０００３】
【特許文献１】特開２００４−８３３１号公報
【発明の概要】
【発明が解決しようとする課題】
【０００４】
遊技機の寸法は規格化されていて一定となっているが、遊技領域に配置される液晶装置が大型化してきていること等から、釘が植設される領域が、周辺に拡がってきていて、前面扉が軸支された側縁部の位置にまでも及ぶようになっている。このため、上述のような盤面に対する各種作業を行うために前面扉を開放した際に、この前面扉が軸支された側縁部の付近では該前面扉が邪魔になって盤面に対する作業がしづらくなっているという問題がある。
【０００５】
また、前面扉には本来的に、これを開放すると開放した側に隣接する遊技機の遊技者に邪魔となりやすいという問題もある。
換言すれば、開放した前面扉は、盤面に対する作業だけでなく隣接する遊技機の遊技に対しても、即ち遊技機の内外で邪魔となりやすい。
【０００６】
本発明は、かかる問題点に鑑みて案出されたものであり、開放した前面扉が盤面に対する作業にも隣接する遊技機の遊技にも邪魔となり難い遊技機を提供することを目的とする。
【課題を解決するための手段】
【０００７】
本発明にかかる遊技機は、上記目的を達成するために、
本体部材（遊技球が流下する遊技領域が前面に形成された遊技盤）と、本体部材の前面（この遊技盤の盤面）側を覆う前面扉と、この前面扉を開放操作するための鍵操作機構とを備える遊技機であって、
前記前面扉が、対向する一対の端縁部でそれぞれ軸支機構により遊技機本体側の部材に着脱可能に軸支され、
前記鍵操作機構を操作することにより、前記一対の軸支機構における軸支状態のうちのいずれか一方を軸として開閉可能に構成されており、
前記鍵操作機構が、鍵を挿入して一方に回転させると、この鍵の一方の回転による動力が伝達機構を介して伝達されることにより、前記一対の軸支機構における軸支状態のうちのいずれか一方を解除することができ、鍵を挿入して他方に回転させると、この鍵の他方の回転による動力が伝達機構を介して伝達されることにより、前記一対の軸支機構における軸支状態のうちの他方を解除することができるように構成され、
前記前面扉が軸支される遊技機本体側の部材が内枠となっており、さらに該内枠が、遊技機本体側の別の部材に軸支されるとともに内枠係合部により該別の部材に係合して閉じた状態に拘束され得るようになっており、前記鍵操作機構が、鍵を挿入して押し込みながら回転させると、この鍵の回転による動力が前記内枠係合部に伝達されることにより、前記遊技機本体側の別の部材に対して前記内枠が閉じて拘束された状態が解除されるように構成されていることを特徴とする。
【０００８】
上記本発明の構成によれば、前面扉を一対の端縁部でそれぞれ軸支機構により遊技機本体側の部材に軸支することによって、前面扉を閉じた状態（閉状態）で拘束することができる。一方、この閉状態で鍵操作機構を操作（開放操作）して一対の軸支機構における軸支状態のうちのいずれか一方を軸として開閉することによって、前面扉を回動させて開き戸式に開放することができる。即ち、前面扉における一対の端縁部のうち、いずれの端縁部を固定端（軸支側端）としいずれの端縁部を自由端とするかを自在に選択して切替えることができるので、前面扉をその一対の端縁部のうちのいずれの端縁部側へも自在に選択的に開放することができる。
【０００９】
したがって、盤面に対する各種作業を行う際には、作業を行う部位から比較的に離れた端縁部側へ前面扉を開放することにより、該前面扉が作業の邪魔とならないようにすることができる。
【００１０】
また、両隣の遊技機のうち、例えば遊技中でない等の理由により比較的に邪魔になり難くなっている一方側へ選択的に前面扉を開放することにより、該前面扉が他方側に隣接する遊技機の遊技に対して邪魔とならないようにすることもできる。
【発明の効果】
【００１１】
本発明によれば、開放した前面扉が盤面に対する作業にも隣接する遊技機の遊技にも邪魔となり難いようにすることができる。
【図面の簡単な説明】
【００１２】
【図１】パチンコ機の一例を示す正面図。
【図２】パチンコ機の一例を示す正面側の斜視図。
【図３】遊技盤の一例を示す正面図。
【図４】図３の遊技盤の斜視図。
【図５】パチンコ機の一例を示す背面図。
【図６】パチンコ機の電気的構成の一例を示すブロック図。
【図７】遊技機本体側の部材（内枠）および前面扉がいずれも閉状態にある状況を示す、左前側から視た斜視図。
【図８】遊技機本体側の部材（内枠）および前面扉がいずれも閉状態にある状況を示す、右前側から視た斜視図。
【図９】遊技機本体側の部材（内枠）および前面扉がいずれも閉状態にある状況を示す、左後側から視た斜視図。
【図１０】遊技機本体側の部材（内枠）および前面扉がいずれも閉状態にある状況を示す、右後側から視た斜視図。
【図１１】遊技機本体側の部材（内枠）および前面扉がいずれも閉状態にある状況を示す背面図。
【図１２】図１１の四隅部の状況を示す部分拡大図。
【図１３】図９の四隅部の状況を示す部分拡大図。
【図１４】遊技機本体側の部材（内枠）の閉状態が解除された状況を示す、左前側から視た斜視図。
【図１５】遊技機本体側の部材（内枠）の閉状態が解除された状況を示す、右前側から視た斜視図。
【図１６】遊技機本体側の部材（内枠）の閉状態が解除された状況況を示す、左後側から視た斜視図。
【図１７】遊技機本体側の部材（内枠）の閉状態が解除された状況を示す、右後側から視た斜視図。
【図１８】遊技機本体側の部材（内枠）の閉状態が解除された状況を示す背面図。
【図１９】図１８の四隅部の状況を示す部分拡大図。
【図２０】図１６の四隅部の状況を示す部分拡大図。
【図２１】前面扉を左開きとした状況を示す、左前側から視た斜視図。
【図２２】前面扉を左開きとした状況を示す、右前側から視た斜視図。
【図２３】前面扉を左開きとした状況を示す、左後側から視た斜視図。
【図２４】前面扉を左開きとした状況を示す、右後側から視た斜視図。
【図２５】前面扉を左開きとした状況を示す背面図。
【図２６】図２５の四隅部の状況を示す部分拡大図。
【図２７】図２３の四隅部の状況を示す部分拡大図。
【図２８】前面扉を右開きとした状況を示す、左前側から視た斜視図。
【図２９】前面扉を右開きとした状況を示す、右前側から視た斜視図。
【図３０】前面扉を右開きとした状況を示す、左後側から視た斜視図。
【図３１】前面扉を右開きとした状況を示す、右後側から視た斜視図。
【図３２】前面扉を右開きとした状況を示す背面図。
【図３３】図３２の四隅部の状況を示す部分拡大図。
【図３４】図３０の四隅部の状況を示す部分拡大図。
【図３５】遊技機本体側の部材（内枠）を開放操作するときの鍵操作機構の状況を示す部分左側面図。
【図３６】遊技機本体側の部材（内枠）を開放操作するときの鍵操作機構の状況を示す、左後側から視た部分斜視図。
【図３７】前面扉を開放操作するときの鍵操作機構の状況を示す部分左側面図。
【図３８】前面扉を開放操作するときの鍵操作機構の状況を示す、左後側から視た部分斜視図。
【図３９】鍵操作機構およびその周辺を示す、前側から視た分解斜視図。
【図４０】鍵操作機構およびその周辺を示す、後側から視た分解斜視図。
【図４１】軸支状態にあるときの軸支機構の可動部材、基材および回転軸を示す分解斜視図。
【図４２】軸支状態にあるときの右上軸支部において基材を取り外した状況を示す一部分解斜視図。
【図４３】軸支状態を解除したときの軸支機構の可動部材、基材および回転軸を示す分解斜視図。
【図４４】軸支状態を解除したときの右上軸支部において基材を取り外した状況を示す一部分解斜視図。
【図４５】軸支状態を解除して前面扉を開放したときの右上軸支部の状況を示す斜視図。
【図４６】右上軸支部の前側から視た分解斜視図。
【図４７】右上軸支部の後側から視た分解斜視図。
【図４８】右上軸支部の軸受側機構およびその遊技機本体側の部材（内枠）への取付状況を示す、前側から視た斜視図。
【図４９】右上軸支部の軸受側機構およびその遊技機本体側の部材（内枠）への取付状況を示す、後側から視た斜視図。
【図５０】前面扉を右開きとしたときの案内部材およびその取付状況を示す斜視図。
【図５１】前面扉を左開きとしたときの案内部材およびその取付状況を示す斜視図。
【図５２】案内部材に配線を取り付ける状況を示す分解部分断面斜視図。
【図５３】軸支機構の他の例を示す平面図。
【図５４】軸支機構の他の例およびその操作状況を示す平面図。
【図５５】図５３の回転軸の要部を示す部分斜視図。
【図５６】遊技機本体側の部材（内枠）と前面扉との電気的接続構造の他の例を示す部分断面斜視図。
【図５７】他の例に係る前面扉の取付構造およびその開閉状況を示す平面図。
【発明を実施するための形態】
【００１３】
以下、本発明の最良の形態を、図面に基づいて詳細に説明する。ここでは、遊技機としてパチンコ遊技機（以下、単に「パチンコ機」という）を挙げる。
【００１４】
（パチンコ機正面側の構成）
図１はパチンコ機１０の正面図であり、図２はパチンコ機１０の斜視図である。図１、２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に説明する。
【００１５】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００１６】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００１７】
また、内枠１２は、大別すると、その最下部に取り付けられた下皿ユニット１３と、この下皿ユニット１３よりも上側の範囲で後述するように内枠１２の左側および右側の上下方向の開閉軸線を軸心にして開閉自在に取り付けられた前面枠セット１４と、図示しない樹脂ベースと、この樹脂ベースの後側に取り付けられる後述の遊技盤３０とを備えている。これらの各構成を以下に詳細に説明する。
【００１８】
上記下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。上記音出力口２４は、下皿ユニット１３内あるいは背面に設けられたスピーカからの音を出力するための出力口である。また、灰皿２２は下皿１５の左方に設けられている。灰皿２２は左右方向（水平方向）の軸線を軸心にして回動（例えば前方側に向けて前回り）するように、その右側が下皿１５に片待ち支持されている。
【００１９】
なお、下皿ユニット１３はその大部分が内枠１２と同様、ＡＢＳ樹脂にて成形されている。
【００２０】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。従来のパチンコ機では前面枠セットの下方に内枠に対し開閉可能な前飾り枠が設けられ、該前飾り枠に上皿が設けられていたのであるが、本形態では前飾り枠が省略され、前面枠セット１４に対し直接的に上皿１９が設けられている。この上皿１９も下皿１５と同様、表面層が難燃性のＡＢＳ樹脂にて成形される構成となっている。また、上皿１９の左下方には、装飾図柄表示装置４２の背景を変える等の操作を遊技者が行なうための演出ボタン７９が設けられている。
【００２１】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００２２】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００２３】
次に、図３〜図４を用いて遊技盤３０の構成を説明する。図３は遊技盤３０の構成を示す正面図であり、図４は、収容部の入口６１付近を模式的に示す図である。遊技盤３０は、一般入賞口３１、可変入賞装置３２、上始動口３３ａと下始動口３３ｂ（作動チャッカ３３ｂで構成）とから成る第１の始動口３３、第２の始動口３４（スルーゲートで構成）、特別図柄表示装置３８、普通図柄表示装置４１、装飾図柄表示装置４２を備える可変表示装置ユニット３５等が設けられている。これらの一般入賞口３１、可変入賞装置３２、第１の始動口３３、第２の始動口３４、可変表示装置ユニット３５等は、遊技盤３０における、ルータ加工によって形成された各貫通穴にそれぞれに配設され、遊技盤３０前面側から木ネジ等により取り付けられている。また、下始動口３３ｂの入口には、図４に示すように一対の開閉羽根６０が設けられており、遊技球を案内する開放位置と、下始動口３３ｂ内に遊技球が入りにくくなる閉塞位置を採りうる。開閉羽根６０は、遊技盤３０の裏面側に配設されたソレノイドＳＬ１によって駆動される。また、下始動口３３ｂの下方には、収容部の入口６１が配置されている。収容部の入口６１については、後に言及する。収容部の入口６１内には、入球検出スイッチＳＷ１が設けられている。
【００２４】
前述の一般入賞口３１、可変入賞装置３２および第１の始動口３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００２５】
上記特別図柄表示装置３８は、第１の始動口３３への入賞をトリガとして識別情報としての特別図柄を変動表示し、上記装飾図柄表示装置４２は特別図柄の変動表示に対応した装飾図柄を変動表示し、上記普通図柄表示装置４１は第２の始動口３４の通過をトリガとして普通図柄を変動表示する。
【００２６】
上記特別図柄表示装置３８は２色のＬＥＤ３８ａ,３８ｂで構成されており、後述する主制御装置２６１により表示内容が制御される。各ＬＥＤ３８ａ,３８ｂは、例えば赤色と緑色との可変表示がなされるようになっている。
【００２７】
上記装飾図柄表示装置４２は液晶表示装置として構成されており、後述する表示制御装置により表示内容が制御される。装飾図柄表示装置４２には、例えば上、中、及び下の３箇所に識別情報としての図柄が表示される。これら図柄がスクロールされて装飾図柄表示装置４２に可変表示されるようになっている。なお本形態では、装飾図柄表示装置４２（液晶表示装置）は例えば１０インチ或いは１２インチサイズの大型の液晶ディスプレイを備えている。
【００２８】
上記普通図柄表示装置４１は、普通図柄用のランプ４１ａ，４１ｂを備えている。この実施例では、普通図柄用のランプ４１ａは、例えば、装飾図柄表示装置４２の表示両面の上方に設けられ、その外観形状は「○」形状となっている一方、普通図柄用のランプ４１ｂは、ランプ４１ａの右上側に隣接して設けられ、その外観形状は「×」形状となっている。普通図柄表示装置４１は、遊技球が第２の始動口３４を通過する毎に例えばランプ４１ａ、４１ｂによる表示図柄（普通図柄）が変動し、具体的には、ランプ４１ａ，４１ｂが交互に光り、ランプ４１ａで停止した場合に第１の始動口３３の下始動口３３ｂが所定時間だけ作動状態となる（開放される）よう構成されている。遊技球が第２の始動口３４を通過した回数は最大４回まで保留され、その保留回数が保留ランプ８０１ａにて点灯表示されるようになっている。なお、ランプ４１ａ，４１ｂは、装飾図柄表示装置４２の一部で変動表示される複数個の表示部としても良い。
【００２９】
上記可変入賞装置３２は、通常は遊技球が入賞できない又は入賞し難い閉状態になっており、大当たりの際に遊技球が入賞しやすい開状態と通常の閉状態とに繰り返し作動されるようになっているが、その具体的な構成については後述する。簡略に触れれば、特別図柄表示装置３８が特定の表示態様となった場合（装飾図柄表示装置４２の停止後の確定図柄が予め設定した特定の図柄の組み合せとなった場合）に特別遊技状態が発生する。そして、可変入賞装置３２が受球状態となり、遊技球の入賞を許す。具体的には、所定時間（例えば３０秒）の経過又は所定個数（例えば１０個）の入賞を１ラウンドとして、可変入賞装置３２の受球状態が所定回数繰り返し開放される。遊技球が第１の始動口３３を通過した回数は最大４回まで保留され、その保留回数が保留ランプ８００ａにて点灯表示されるようになっている。なお、保留ランプ８００ａは、装飾図柄表示装置４２の一部で変動表示される構成等であっても良い。
【００３０】
また、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす金属板にて構成されており、内外二重に一体形成された内レール５１と外レール５２とを有する。内レール５１および外レール５２の後側端縁（遊技盤３０に対向する端縁）には、所定間隔をおいて複数個所に鋲５６が設けられており、内レール５１および外レール５２は該鋲５６を打ちつけるようにして遊技盤３０に取り付けられている。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３１】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。
【００３２】
尚、遊技領域は、レールユニット５０の内周部（内外レール）と主表示ユニット３７１の斜辺とにより略円形状に区画形成されており、特に本形態では、遊技盤３０の盤面上に区画される遊技領城が従来よりもはるかに大きく構成されている。
【００３３】
（パチンコ機の背面構成）
次に、パチンコ機１０の背面の構成を説明する。図５はパチンコ機１０の背面図である。
【００３４】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板（装置）、電源監視基板（装置）、及びサブ制御基板（装置）を一方の取付台に搭載してユニット化すると共に、払出制御基板（装置）、発射制御基板（装置）及び電源基板（装置）を他方の取付台に搭載してユニット化している。ここでは便宜上、前者のユニットを「第１制御基板ユニット２０１」と称し、後者のユニットを「第２制御基板ユニット２０２」と称することとする。
【００３５】
また、払出機構および保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００３６】
第１制御基板ユニット２０１、第２制御基板ユニット２０２および裏パックユニット２０３は、ユニット単位で何ら工具等を用いずに着脱できるよう構成されており、更に、これに加え、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００３７】
上述した第１制御基板ユニット２０１は、その遊技の進行を統括する主制御基板及び電源の監視を司る電源監視基板と、主制御基板からの指示に従い前記装飾図柄表示装置４２の表示制御と音声ランプ制御とを司るサブ制御基板とを有する。上記主制御基板と電源監視基板とは透明樹脂材料等よりなる基板ボックス２６３に収容されて構成されている。この基板ボックス２６３は、略直方体形状のボックスベースと該ボックスベースの開口部を覆うボックスカバーとを備えており、これらボックスベースとボックスカバーとは封印ユニットによって開封不能に連結されることにより、基板ボックス２６３が封印される。
【００３８】
尚、封印ユニットはボックスベースとボックスカバーとを開封不能に連結する構成であれば任意の構成が適用でき、また、封印ユニットによる封印処理は、その封印後の不正な開封を防止し、また万一不正開封が行われてもそのような事態を早期にかつ容易に発見可能とするものである。
【００３９】
次に、前記第２制御基板ユニット２０２は、払出制御基板、発射制御基板、電源基板及びカードユニット接続基板を有している。上記払出制御基板により賞品球や貸出球の払出が制御され、上記発射制御基板により遊技者による遊技球発射ハンドル１８の操作に従い発射ソレノイドの制御が行われ、上記電源基板により各種制御装置等で要する所定の電源電圧が生成され出力される。また、上記カードユニット接続基板は、パチンコ機前面の貸球操作部１２０（図１参照）および図示しないカードユニットに電気的に接続され、遊技者による球貸し操作の指令を取り込んでそれを払出制御基板に出力するものである。なお、カードユニットを介さずに球貸し装置等から上皿に遊技球が直接貸し出される現金機では、カードユニット接続基板は不要である。
【００４０】
上記払出制御基板は、透明樹脂材料等よりなる払出制御基板ケース２８０内に収納されており、上記電源基板は、透明樹脂材料等よりなる電源基板ケース２８１内に収納されている。また、上記カードユニット接続基板は透明樹脂材料等よりなるカードユニット接続基板ケース３１４内に収納され、上記発射制御基板は透明樹脂材料等よりなる図示しない発射制御基板ケース内に収納されている。特に、払出制御基板では、前述した主制御基板と同様、基板ケース（被包手段）を構成するボックスベースとボックスカバーとが封印ユニット（封印手段）によって開封不能に連結されることにより、基板ボックスが封印される。
【００４１】
上記払出制御基板は状態復帰スイッチ３２１と電気的に接続されており、例えば、払出モータ部の球詰まり等、払出エラーの発生時において状態復帰スイッチ３２１が押下されると、払出モータがゆっくりと正回転され、球詰まりの解消（正常状態への復帰）が図られるようになっている。
【００４２】
次に、裏パックユニット２０３の構成を説明する。裏パックユニット２０３は、樹脂成形された裏パック３５１と遊技球の払出機構部３５２とを一体化したものである。
【００４３】
裏パック３５１は例えばＡＢＳ樹脂により一体成型されており、略平坦状のベース部３５３と、パチンコ機後方に突出し横長の略直方体形状をなす保護カバー部３５４とを有する。保護カバー部３５４は左右側面および上面が閉鎖されかつ下面のみが開放された形状をなし、少なくとも電動役物ユニット（センター役物）を囲むのに十分な大きさを有する（但し本形態では、前述のサブ制御基板も合わせて囲む構成となっている）。保護カバー部３５４の背面には多数の通気孔３５４ａが設けられている。この通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置等を露出させることで、所定の検定等を容易に実施することができる。
【００４４】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図示しない払出通路等を通じて前記上皿１９に供給される。
【００４５】
タンクレール３５６と、当該タンクレール３５６に振動を付加するためのバイブレータ３６０とが一体化するようにユニット化されており、仮にタンクレール３５６付近で球詰まりが生じた際、バイブレータ３６０が駆動されることで球詰まりが解消されるようになっている。
【００４６】
上記払出機構部３５２には、前記払出制御基板から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮまたは電源ＯＦＦとされるようになっている。
【００４７】
なお、内枠１２の右上側には、内枠１２が外枠１１に対して開かれたことを検出する内枠開検出スイッチ３８８が設けられており、内枠１２が開かれると、内枠開検出スイッチ３８８からホール内（パチンコ店内）用コンピュータヘ出力されるようになっている。また、上記内枠開検出スイッチ３８８の左方には、前面枠開検出スイッチ３８９が設けられており、前面枠セット１４が開かれると、前面枠開検出スイッチ３８９からホール内（パチンコ店内）用コンピュータヘ出力されるようになっている。
【００４８】
（パチンコ機の電気的構成及び各種制御処理）
次に、図６を参照して、本パチンコ機１０の電気的構成について説明する。パチンコ機１０は、電源装置３１３と、電源監視装置５４０と、主制御装置２６１と、サブ制御装置２６２と、払出制御装置３１１と、表示制御装置４５等を備えている。以下に、これらの装置を個別に詳細に説明する。尚、電源監視装置５４０と主制御装置２６１とは、上記したように封印ユニットで封印されている。
【００４９】
次いで、主制御装置２６１の構成について説明する。主制御装置２６１には、演算装置である１チップマイコンとしてのＭＰＵ５０１が搭載されている。ＭＰＵ５０１には、該ＭＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、そのほか、割込回路やタイマ回路、データ送受信回路などの各種回路が内蔵されている。
【００５０】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのエリアが備えられている。
【００５１】
なお、ＭＰＵ５０１のＮＭＩ端子（ノンマスカブル割込端子）には、停電等の発生による電源遮断時に、停電監視回路５４２からの停電信号ＳＧ１が入力されるように構成されており、その停電信号ＳＧ１がＭＰＵ５０１へ入力されると、停電時処理としてのＮＭＩ割込処理が即座に実行される。
【００５２】
主制御装置２６１のＭＰＵ５０１には、アドレスバス及びデータバスで構成されるバスライン５０４を介して入出力ポート５０５が接続されている。入出力ポート５０５には、電源監視装置５４０内のＲＡＭ消去スイッチ回路５４３、払出制御装置３１１、発射制御装置３１２、サブ制御装置２６２、特別図柄表示装置３８、普通図柄表示装置４１、特別図柄保留表示装置８００、普通図柄保留表示装置８０１や、その他図示しないスイッチ群などが接続されている。なお、特別図柄表示装置３８は上記したように特別図柄表示ランプ３８ａ，３８ｂで構成されており、普通図柄表示装置４１は上記したように普通図柄表示ランプ４１ａ，４１ｂで構成されており、特別図柄保留表示装置８００は上記したように特別図柄に関する保留球の個数を表示する保留ランプ８００ａで構成されており、普通図柄保留表示装置８０１は上記したように普通図柄に関する保留球の個数を表示する保留ランプ８０１ａで構成されている。
【００５３】
払出制御装置３１１は、払出モータ３５８ａにより賞球や貸し球の払出制御を行うものである。演算装置であるＭＰＵ５１１は、そのＭＰＵ５１１により実行される制御プログラムや固定値データ等を記憶したＲＯＭ５１２と、ワークメモリ等として使用されるＲＡＭ５１３とを備えている。
【００５４】
払出制御装置３１１のＲＡＭ５１３は、主制御装置２６１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのエリアが備えられている。
【００５５】
なお、主制御装置２６１のＭＰＵ５０１と同様、ＭＰＵ５１１のＮＭＩ端子にも、停電時の発生による電源遮断時に停電監視回路５４２から停電信号ＳＧ１が入力されるように構成されており、その停電信号ＳＧ１がＭＰＵ５１１へ入力されると、停電時処理としてのＮＭＩ割込処理が即座に実行される。
【００５６】
払出制御装置３１１のＭＰＵ５１１には、アドレスバス及びデータバスで構成されるバスライン５１４を介して入出力ポート５１５が接続されている。入出力ポート５１５には、主制御装置２６１、払出モータ３５８ａがそれぞれ接続されている。
【００５７】
発射制御装置３１２は、発射ソレノイドによる遊技球の発射を許可又は禁止するものであり、発射ソレノイドは、所定条件が整っている場合に駆動が許可される。具体的には、払出制御装置３１１からカードユニットとの接続状態であることを示す接続信号が出力されていること、遊技者が遊技球発射ハンドル１８に触れていることをセンサ信号により検出していること、発射を停止させるための発射停止スイッチが操作されていないことを条件に、発射制御装置３１２は発射許可信号を主制御装置２６１に出力する。発射許可信号を入力した主制御装置２６１は、発射ソレノイド制御信号を発射制御装置３１２に出力する。これにより発射制御装置３１２は発射ソレノイド制御信号に応じて発射ソレノイドを駆動し、その結果、遊技球発射ハンドルの操作量に応じた強さで遊技球が発射される。
【００５８】
サブ制御装置２６２は、主制御装置２６１からのコマンドに基づいて装飾図柄の変動表示に応じた演出用スピーカ８１０等の鳴動制御及び演出用ランプ８１１の点灯（点滅）制御、並びに、主制御装置２６１からのコマンドに基づいて表示制御装置４５へのコマンドを編集して表示制御装置４５に送信する機能を果たすものである。サブ制御装置２６２のＭＰＵ５５０には、そのＭＰＵ５５０により実行される制御プログラムや固定値データ等を記憶したＲＯＭ５５１と、ワークメモリ等として使用されるＲＡＭ５５２とを備えている。ＭＰＵ５５０には、アドレスバス及びデータバスで構成されるバスライン５５３を介して入出力ポート５５４が接続されている。入出力ポート５５４には、スピーカ、ランプ、装飾図柄表示装置４２における変動表示中において所定の表示演出を実行させるための演出用ボタン７９、及び主制御装置２６１がそれぞれ接続されている。演出用ボタン７９としては、例えば所定のキャラクタが順次出現する態様によって大当たり状態の可能性が大きいことを予告するステップアップ予告等の表示演出用ボタン等が挙げられる。なお、演出用ボタン７９が押されると、所定の演出実行のための演出指定コマンドが生成されて、装飾図柄表示装置４２に送信されようになっている。
【００５９】
表示制御装置４５は、装飾図柄表示装置４２における装飾図柄の変動表示を制御するものである。表示制御装置４５は、ワークＲＡＭ等として使用されるＲＡＭ５２３を有するＭＰＵ５２１と、ＲＯＭ（プログラムＲＯＭ）５２２と、ビデオＲＡＭ５２４と、キャラクタＲＯＭ５２５と、画像コントローラ５２６と、入力ポート５２７と、出力ポート５２９とを備えている。
【００６０】
ＭＰＵ５２１は、サブ制御装置２６２から送信されてくる図柄表示コマンド（停止図柄コマンド、変動パターンコマンド、確定コマンド等）を入力ポート５２７を介して受信するとともに、受信コマンドを解析し、又は受信コマンドに基づき所定の演算処理を行って画像コントローラ５２６の制御（具体的には画像コントローラ５２６に対する内部コマンドの生成）を実施する。プログラムＲＯＭ５２２は、ＭＰＵ５２１により実行される各種の制御プログラムや固定値を記憶するためのメモリであり、背景画像用のＪＰＥＧ形式画像データも併せて記憶保持されている。ＲＡＭ５２３は、ＭＰＵ５２１による各種プログラムの実行時に使用されるワークデータやフラグ等を一時的に記憶するためのメモリである。
【００６１】
画像コントローラ５２６は、ＶＤＰ（ビデオディスプレイプロセッサ）で構成されている。ＶＤＰは、装飾図柄表示装置４２に組み込まれたＬＣＤドライバ（液晶駆動回路）を直接操作する一種の描画回路であり、ＩＣチップ化されているため、「描画チップ」とも呼ばれ、その実体は描画処理専用のソフトウェアを内蔵したマイコンチップとでも言うべきものである。画像コントローラ５２６は、ＭＰＵ５２１、ビデオＲＡＭ５２４等のそれぞれのタイミングを調整してデータの読み書きに介在するとともに、ビデオＲＡＭ５２４に記憶される表示データを、キャラクタＲＯＭ５２５から所定のタイミングで読み出して、出力ポート５２９を介して装飾図柄表示装置４２に出力して表示させる。
【００６２】
ビデオＲＡＭ５２４は、装飾図柄表示装置４２に表示される表示データを記憶するためのメモリであり、ビデオＲＡＭ５２４の内容を書き換えることにより装飾図柄表示装置４２の表示内容が変更される。キャラクタＲＯＭ５２５は装飾図柄表示装置４２に表示される図柄などのキャラクタデータを記憶するための画像データライブラリとしての役割を担うものである。このキャラクタＲＯＭ５２５には、各種の表示図柄のビットマップ形式画像データ、ビットマップ画像の各ドットでの表現色を決定する際に参照する色パレットテーブル等が保持されている。特に、ビットマップ形式の図柄画像データにはそれぞれ図柄コード（図柄番号）が付与されており、コマンドレベルでは各図柄画像を図柄コードだけで管理可能としている。なお、キャラクタＲＯＭ５２５を複数設け、各キャラクタＲＯＭ５２５に分担して画像データ等を記憶させておくことも可能である。また、プログラムＲＯＭ５２２に記憶した背景画像用のＪＰＥＧ形式画像データをキャラクタＲＯＭ５２５に記憶する構成とすることも可能である。
【００６３】
電源装置３１３は、パチンコ機１０の各部に電源を供給するための電源部５４１を備えている。この電源部５４１は、電源経路を通じて、主制御装置２６１や払出制御装置３１１等に対して各々に必要な動作電圧を供給する。その概要としては、電源部５４１は、外部より供給される交流２４ボルトの電圧を取り込み、各種スイッチやモータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を、電源監視装置５４０、サブ制御装置２６２、払出制御装置３１１、表示制御装置４５等に対して供給する。なお、主制御装置２６１に対しては、電源監視装置５４０を介して動作電圧（１２ボルト及び５ボルトの電圧）が供給される。また、発射制御装置３１２に対しては、主制御装置２６１を介して動作電圧（１２ボルト及び５ボルトの電圧）が供給される。
【００６４】
電源監視装置５４０は、停電等による電源遮断を監視する停電監視回路５４２と、リセット信号を出力するリセット回路５４４と、を備えている。
停電監視回路５４２は、停電等の発生による電源遮断時に、主制御装置２６１のＭＰＵ５０１及び払出制御装置３１１のＭＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２６１及び払出制御装置３１１へ出力する。停電信号ＳＧ１の出力によって、主制御装置２６１及び払出制御装置３１１は、停電の発生を認識し、ＮＭＩ割込処理を実行する。なお、電源部５４１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置２６１及び払出制御装置３１１は、ＮＭＩ割込処理を正常に実行し完了することができる。
【００６５】
ＲＡＭ消去スイッチ回路５４３は、ＲＡＭ消去スイッチが押下された場合に、主制御装置２６１及び払出制御装置３１１へ、バックアップデータをクリアするためのＲＡＭ消去信号ＳＧ２を出力する回路である。なお、払出制御装置３１１への信号の送信は、主制御装置２６１を介して行われる。
主制御装置２６１及び払出制御装置３１１は、パチンコ機１０の電源投入時に、ＲＡＭ消去信号ＳＧ２を入力した場合に、それぞれのバックアップデータをクリアする。
【００６６】
リセット回路５４４は、主制御装置２６１、払出制御装置３１１、サブ制御装置２６２、及び表示制御装置４５を初期化するため、リセット信号を出力する回路である。なお、リセット回路５４４からのリセット信号は、主制御装置２６１に対しては直接与えられるが、払出制御装置３１１、サブ制御装置２６２、及び表示制御装置４５に対しては、電源装置３１３を介して与えられるようになっている。
【００６７】
ここで、特別図柄表示装置３８、普通図柄表示装置４１、及び装飾図柄表示装置４２の表示内容について説明する。なお、本実施形態のパチンコ機１０においては、大当たりの発生を遊技者に示すための図柄として特別図柄表示装置３８で表示される特別図柄と、装飾図柄表示装置４２で表示される装飾図柄との２種類が設けられている。装飾図柄は、特別図柄と同期して変動が行われる図柄であり、特別図柄の変動開始と同時に（又はほぼ同時期に）変動を開始し、また特別図柄の変動停止と同時に（またはほぼ同時期に）変動を停止するものである。この装飾図柄は、遊技者に多種多様な表示演出を行って飽きにくい遊技性を備えるために設けられている。
【００６８】
先ず、特別図柄表示装置３８の表示内容について説明する。特別図柄の変動表示は、特別図柄表示ランプ３８ａ，３８ｂの色変化（赤色・緑色の変化）や点滅等の点灯パターンの変化により表現される。この特別図柄の変動表示は遊技球の始動口３３への入賞に基づいて開始され、一定時間後に特別図柄の変動表示が同時に停止する。その停止後に、特別図柄が揃っている場合、即ち、特別図柄表示ランプ３８ａ，３８ｂが同一色の点灯状態となっているときは大当たりとなり、変動表示の停止時に特別図柄が揃っていなければ、即ち、特別図柄表示ランプ３８ａ，３８ｂが異色の点灯状態となっているときは、外れとなり、始動口３３への入賞に基づいて再度の変動表示が行われる。遊技球が始動口３３に入賞した回数は最大４回まで保留され、その保留回数が特別図柄保留表示装置８００の保留ランプ８００ａにて点灯表示されるようになっている。なお、本形態では、変動表示の停止時において、特別図柄表示ランプ３８ａ，３８ｂが共に赤色の点灯状態であれば、特定図柄（確率変動図柄）とみなされ、特別図柄表示ランプ３８ａ，３８ｂが共に緑色の点灯状態であれば、非特定図柄（非確率変動図柄）とみなされる。
【００６９】
次いで、装飾図柄表示装置４２の表示内容について説明する。装飾図柄表示装置４２の表示画面には、例えば、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動口３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。大当たり抽選に当選した変動表示においては、９個の装飾図柄のうち垂直あるいは斜めの一直線上に同一の主図柄が３つ揃って停止するように表示制御装置４５により制御が行われ、遊技者に大当たりの発生が示される。一方、大当たり抽選に外れた変動表示においては、９個の装飾図柄のうち垂直あるいは斜めのいずれにも同一の主図柄が３つ揃って停止しないように表示制御装置４５により制御が行われ、遊技者に外れの発生が示される。
【００７０】
次いで、普通図柄表示装置４１の表示内容について説明する。普通図柄の変動表示は、普通図柄表示ランプ４１ａ（外観が○形状）と、普通図柄表示ランプ４１ｂ（外観が×形状）とが交互に点灯することにより表現される。この普通図柄の変動表示は遊技球が第２の始動口３４を通過することを条件として開始され、一定時間後に普通図柄の変動表示が停止する。そして、表示ランプ４１ａで停止した場合に第１の始動口３３が所定時間だけ作動状態となる（開放される）よう構成されている。遊技球が第２の始動口３４を通過した回数は最大４回まで保留され、その保留回数が普通図柄保留表示装置８０１の保留ランプ８０１ａにて点灯表示されるようになっている。
【００７１】
次に、上記の如く構成されたパチンコ機１０の動作について説明する。本形態では、主制御装置２６１内のＭＰＵ５０１は、遊技に際し各種カウンタ情報を用いて、大当たり抽選や特別図柄表示装置３８の図柄表示の設定などを行うこととしている。具体的には、特別図柄に関連するカウンタ群と、普通図柄に関連するカウンタ群とを備えている。先ず、特別図柄に関連するカウンタ群について説明する。特別図柄に関連するカウンタ群としては、大当たりの抽選に使用する大当たり乱数カウンタＣ１と、特別図柄表示装置３８の大当たり図柄の選択に使用する大当たり図柄カウンタＣ２と、特別図柄表示装置３８が外れ変動する際の停止パターンの選択（装飾図柄の変動においてはリーチとするか完全外れとするかのリーチ抽選に相当する）に使用する停止パターン選択カウンタＣ３と、大当たり乱数カウンタＣ１の初期値設定に使用する初期値乱数カウンタＣＩＮＩ１と、変動パターン選択に使用する種別を決定する変動種別カウンタＣＳ１〜ＣＳ３とを備えている。
【００７２】
ここで、変動パターンとは、変動表示の特徴が共通するものを区分した場合における各パターン（形態）を意味している。
【００７３】
上記カウンタＣ１〜Ｃ３，ＣＩＮＩ１，ＣＳ１〜ＣＳ３、は、その更新の都度前回値に１が加算され、最大値に達した後０に戻るループカウンタとなっている。各カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７００が設けられており、これらの各エリアには、始動口３３への遊技球の入賞タイミングに合わせて、大当たり乱数カウンタＣ１、大当たり図柄カウンタＣ２及び停止パターン選択カウンタＣ３の各値がそれぞれ格納される。
【００７４】
次いで、各カウンタの具体的な内容について詳述する。
大当たり乱数カウンタＣ１は、例えば０〜７３８の範囲内で順に１ずつ加算され、最大値（つまり７３８）に達した後０に戻る構成となっている。特に大当たり乱数カウンタＣ１が１周した場合、その時点の乱数初期値カウンタＣＩＮＩ１の値が当該大当たり乱数カウンタＣ１の初期値として読み込まれる。なお、乱数初期値カウンタＣＩＮＩ１は、大当たり乱数カウンタＣ１と同一範囲で更新されるループカウンタとして構成され（値＝０〜７３８）、タイマ割込毎に１回更新されると共に通常処理の残余時間内で繰り返し更新される。大当たり乱数カウンタＣ１は定期的に（本形態ではタイマ割込毎に１回）更新され、遊技球が始動口３３に入賞したタイミングでＲＡＭ５０３の保留球格納エリア７００に格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，５７７，６３１，６８３，７３３」である。なお、高確率時とは、特別図柄の組み合せが予め定められた確率変動図柄である特定図柄の組み合せ（本実施形態においては特定図柄表示ランプ３８ａ，３８ｂが共に緑色で点灯する場合）によって大当たりになり付加価値としてその後の大当たり確率がアップした状態、いわゆる確変の時をいい、通常時（低確率時）とはそのような確変状態でない場合（本実施形態においては特定図柄表示ランプ３８ａ，３８ｂが共に赤色で点灯する場合）をいう。
【００７５】
大当たり図柄カウンタＣ２は、大当たりの際、特別図柄表示装置３８における特別図柄の変動停止時の図柄を決定するものであり、例えば０〜４の範囲内で順に１ずつ加算され、最大値（つまり４）に達した後０に戻る構成となっている。例えば、大当たり図柄カウンタＣ２の値が「０」、「１」の場合の停止図柄は、特別図柄表示ランプ３８ａ，３８ｂが共に緑色で停止し、この場合の停止図柄の組み合せは非特定図柄（通常の大当たり図柄）を意味する。
【００７６】
大当たり図柄カウンタＣ２の値が「２」、「３」、「４」の場合の停止図柄は、特別図柄表示ランプ３８ａ，３８ｂが共に赤色で停止し、この場合の停止図柄の組み合せは特定図柄（確率変動図柄）を意味する。
【００７７】
大当たり図柄カウンタＣ２は定期的に（本形態ではタイマ割込毎に１回）更新され、遊技球が始動口３３に入賞したタイミングでＲＡＭ５０３の保留球格納エリア７００に格納される。
【００７８】
停止パターン選択カウンタＣ３は、例えば０〜２３８の範囲内で順に１ずつ加算され、最大値（つまり２３８）に達した後０に戻る構成となっている。本形態では、特別図柄の変動表示は、２つの表示ランプ３８ａ，３８ｂで表現するように構成されているので、特別図柄の場合にはリーチという概念はなく、リーチに相当する停止パターンを停止パターン選択カウンタＣ３によって、決定することとしている。一方、装飾図柄の場合は、３つの装飾図柄が停止するので、リーチが存在する。従って、装飾図柄の場合は、リーチ抽選を、停止パターン選択カウンタＣ３によって決定している。即ち、装飾図柄の場合では、リーチ発生した後に最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。例えば、停止パターン選択カウンタＣ３＝０〜２０１が完全外れに該当し、停止パターン選択カウンタＣ３＝２０２〜２０８が前後外れリーチに該当し、停止パターン選択カウンタＣ３＝２０９〜２３８が前後外れ以外リーチに該当する。
【００７９】
ここで、リーチとは、装飾図柄表示装置４２の表示画面に表示される装飾図柄が変動表示を開始した後、先に停留する図柄の組み合せが同一図柄（複数の有効ラインがある装飾図柄においてはいずれかの有効ライン上で同一図柄）であって大当たりの条件を満たしており、変動表示が続いている図柄の表示結果如何によっては大当たりとなることを遊技者に示唆して大当たりの図柄の組み合せを遊技者に期待させる表示であり、興趣演出の１種である。興趣演出とは、変動表示の途中で装飾図柄表示装置４２の表示画面にリーチに代表される所定の図柄を現出させたり、スピーカから特定の音声を出力したり、或いは、振動用のモータによって遊技球発射ハンドル１８を振動させる等、通常とは異なる態様を変動表示に伴わせて変動表示後の表示結果が大当たりとなることを遊技者に期待させる演出である。
【００８０】
なお、停止パターン選択カウンタＣ３は定期的に（本形態ではタイマ割込毎に１回）更新され、遊技球が始動口３３に入賞したタイミングでＲＡＭ５０３の保留球格納エリア７００に格納される。
【００８１】
変動種別カウンタＣＳ１は、例えば０〜１９８の範囲内で順に１ずつ加算され、最大値（つまり１９８）に達した後０に戻る構成となっている。変動種別カウンタＣＳ２は、例えば０〜２４０の範囲内で順に１ずつ加算され、最大値（つまり２４０）に達した後０に戻る構成となっている。変動種別カウンタＣＳ３は、例えば０〜１６２の範囲内で順に１ずつ加算され、最大値（つまり１６２）に達した後０に戻る構成となっている。
変動種別カウンタＣＳ１によって、ノーマルリーチ、スーパーリーチ、プレミアムリーチ等のリーチの種別のような大まかな図柄変動態様が決定され、変動種別カウンタＣＳ２によって、例えばノーマルリーチＡ、ノーマルリーチＢ等のようにさらに細かな図柄変動態様が決定され、変動種別カウンタＣＳ２によって、例えばすべり停止変動の場合の変動時間の加減算が決定される。従って、これらの変動種別カウンタＣＳ１〜ＣＳ３を組み合わせることで、変動パターンの多種多様性を容易に実現できる。
【００８２】
カウンタＣＳ１〜ＣＳ３は、後述する通常処理が１回実行される毎に１回更新され、当該通常処理内の残余時間内でも繰り返し更新される。そして、特別図柄表示装置３８による特別図柄及び装飾図柄表示装置４２による装飾図柄の変動開始時における変動パターン決定に際してカウンタＣＳ１〜ＣＳ３のバッファ値が取得される。
【００８３】
次いで、普通図柄に関連するカウンタ群について説明する。普通図柄に関連するカウンタ群としては、当たりの抽選に使用する当たり乱数カウンタＣ４と、当たり乱数カウンタＣ４の初期値設定に使用する初期値乱数カウンタＣＩＮＩ２とを備えている。
【００８４】
上記当たり乱数カウンタＣ４は、その更新の都度前回値に１が加算され、最大値に達した後０に戻るループカウンタとなっている。カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７０１が設けられており、これらの各エリアには、第２の始動口３４への遊技球の通過に合わせて、当たり乱数カウンタＣ４の値が格納される。
【００８５】
次いで、上記当たり乱数カウンタＣ４，初期値乱数ＣＩＮＩ２の具体的な内容について詳述する。当たり乱数カウンタＣ４は、例えば０〜２５０の範囲内で順に１ずつ加算され、最大値（つまり２５０）に達した後０に戻る構成となっている。そして、当たり乱数カウンタＣ４が１周した場合、その時点の当たり初期値乱数カウンタＣＩＮＩ２の値が当たり乱数カウンタＣ４の初期値として読み込まれる。なお、初期値乱数カウンタＣＩＮＩ２は、当たり乱数カンタＣ４と同一範囲で更新されるループカウンタとして構成され（値＝０〜２５０）、タイマ割込毎に１回更新されると共に通常処理の残余時間内で繰り返し更新される。当たり乱数カウンタＣ４は定期的に（本形態ではタイマ割込毎に１回）更新され、遊技球が第２の始動口３４を通過したタイミングでＲＡＭ５０３の保留球格納エリア７０１に格納される。当たり乱数カウンタＣ４の当たりとなる乱数の値の数は１４９で、その値は「５〜１５３」である。
【００８６】
なお、各カウンタの大きさや範囲は一例にすぎず任意に変更できる。但し、不規則性を重視すれば、大当たり乱数カウンタＣ１、停止パターン選択カウンタＣ３、当たり乱数カウンタＣ４、変動種別カウンタＣＳ１〜ＣＳ３の大きさは何れも異なる素数とし、いかなる場合にも同期しない数値としておくのが望ましい。
【００８７】
尚、主制御装置２６１内のＭＰＵ５０１により実行される各制御処理の詳細については、ここでは詳細説明を省く。
しかし、要約すれば、上述のように、始動口３３への入賞により、主制御装置２６１において所定の確率の当否抽選がなされ、当たりに際しては、特別遊技状態に移行するのであり、これに伴って可変入賞装置３２が入賞球の受球状態となるものである。
【００８８】
（可変入賞装置と捕集部）
この実施例においては、上記の可変入賞装置３２は、次のように構成されている。
この可変入賞装置３２の基本構成は、遊技盤３０の横方向に複数の遊技球を通過させることのできる幅を持つ大入賞口６１からの入球を収容部（図示せず）に収容し、該収容部に設けた排出部から検出センサ（図示せず）に至って検出するように構成されている。
【００８９】
そして、前記遊技盤３０の遊技領域に、窓部１０１と遊技盤３０との間の流下空間を流下する遊技球を入球させる始動入賞装置３３（３３ａ及び３３ｂ：図４参照）が設けられ、前記始動入賞装置３３への入球により、主制御装置２６１によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記大入賞口６１から収容部に収容された規定数の入賞球を、前記検出センサにより検出することによって規定数の賞球を払い出すように構成してある。
【００９０】
（特徴構成）
本パチンコ機１０においては、図７ないし図３４に示すように、遊技盤３０の盤面を覆う前面扉として、前面枠セット１４が内枠１２に対し開閉自在に取り付けられている。内枠１２は、前述の通りそれ自体が外枠１１に開閉可能に軸支されており、したがってそれ自体が、遊技機本体側の部材である外枠１１に軸支されているともいえるが、同時に、前面枠セット１４を開閉可能に軸支する部材ともなっており、したがって前面枠セット１４との関係においては遊技機本体側の部材となっている。換言すれば、外枠１１に内枠１２が軸支されるとともに内枠１２に前面枠セット１４が軸支されるという重層的な構造となっていて、内枠１２はこの中間に位置しており、したがって内枠１２は、軸支される側の部材となっているとともに、軸支する側の部材すなわち遊技機本体側の部材ともなっている。
【００９１】
内枠１２は、図７ないし図１１に示すように、前記外枠１１（図７ないし図３４では図示省略）に嵌入し得る正面視矩形状であって前後にやや膨出する概略形状を有し、前記下皿ユニット１３が配設される下端部より上の前側部分を、前面枠セット１４が構成している。
【００９２】
なお、内枠１２の構成は前述した通りであり、図１および図２に示すようなものであるが、図７ないし図３４では、明瞭化のため、前記上皿１９や窓部１０１その他の細部は省略し、また下皿ユニット１３を内枠１２と一体的に表す等して、内枠１２の構成および形状を大幅に簡略化・単純化している。
【００９３】
図８に示すように、内枠１２の右下部における遊技球発射ハンドル１８の上方の位置には、シリンダ錠６２が前方に露出するように配設されており、パチンコ機１０の正面側から操作し得るようになっている。
【００９４】
シリンダ錠６２は、図３９および図４０に示すように、鍵の挿入方向すなわち前後方向に沿って円筒状に延びる本体６２Ｂと、本体６２Ｂの後端に直交するように上下に延出するフランジ６２Ｆと、フランジ６２Ｆの上下端部からそれぞれ後方へ延出する軸６２Ｄと、各軸６２Ｄにそれぞれ外嵌された圧縮コイルバネ６２Ｓとを有する構成となっている。
【００９５】
図９および図１０に示すように、内枠１２の裏面部における右側端縁部（図９および図１０では左側端縁部）には、内枠係合部６３が配設されており、これにより内枠１２が外枠１１に係合して閉じた状態（閉状態）に拘束されあるいはこの閉状態を解除され得るようになっている。
【００９６】
内枠係合部６３は、図９および図１０に示すように、内枠１２の裏面部における右側端縁部に沿って縦長に延びる基枠６４と、基枠６４にスライド可能に支持される係合片６５とを有して構成されている。基枠６４は、内枠１２の上端近傍から中央のやや下方まで帯状に延びて内枠１２の裏面に重ね合わせて固定される固定片６４Ｆと、固定片６４Ｆの外側縁（右側縁；図９および図１０では左側縁）から垂直に延出する支持片６４Ｓとを有して横断面Ｌ字形状となるように金属板を折曲して成形された基本構成を有する部材となっている。支持片６４Ｓの延出端側半部は、固定片６４Ｆの下端の位置よりもさらに下方へ延び、シリンダ錠６２が配置された高さ位置より若干下方の位置が下端となっている。支持片６４Ｓの延出端部は、全長にわたって固定片６４Ｆ側（図９および図１０では右側）へ横断面略Ｕ字状に折り返されて折返部が形成されている。さらに、支持片６４Ｓにおける下端からシリンダ錠６２より若干上方の高さ位置までの部分は、支持片６４Ｓの上部と同一の幅となるように前方（図９および図１０では後方）へ延びて図３９および図４０に示すように右側片６４Ｒを形成し、その先端から、固定片６４Ｆと同方向（図９および図４０では右方向）へ同一幅となるように垂直に延びて中央片６４Ｃを形成し、さらにその先端から支持片６４Ｓと同方向（図９および図４０では前方向）へ延出して左側片６４Ｌを形成し、これら右側片６４Ｒ、中央片６４Ｃおよび左側片６４Ｌにより全体として横断面概略コ字形状の伝達機構支持部６４Ｔが形成されている。
【００９７】
伝達機構支持部６４Ｔは、図３９および図４０に示すように、厳密には、支持片６４Ｓから一旦外側（右側）へ垂直に若干延出してから、前方へ延びて右側片６４Ｒを形成しており、一方、左側片６４Ｌの延出端（後端）も右側へ垂直に若干延出している。即ち、伝達機構支持部６４Ｔは、厳密には、横断面概略コ字形状の両端が互いに対向する方向に若干延出した横断面概略Ｃ字形状となっている。
【００９８】
係合片６５は、図９および図１０に示すように、基枠６４の支持片６４Ｓの長さより若干小さい長さおよび支持片６４Ｓの幅の半分程度の幅を有するように支持片６４Ｓに沿って上下に延びる概略帯状の基本形状を有し、下端よりやや上方の位置および上端の位置にはそれぞれ、後側縁から後方へ側面視概略鋭角に先細りする形状に延出するフック６５Ｈが形成された金属板よりなる部材となっている。図３５ないし図３８等によく表れているように、上下各フック６５Ｈにおける上側縁の基端部には、内側（下側）へ矩形状に凹入する鉤部６５Ｅが形成されている。さらに、図３９および図４０に示すように、係合片６５の下端と下側のフック６５Ｈとの間には、前側縁から矩形状に凹入する係合切欠６５Ｒが形成されている。
【００９９】
図９および図１０に示すように、基枠６４の支持片６４Ｓにおける前側端縁部すなわち折返端縁部の下端よりやや上方の位置および上端の位置にはそれぞれ、係合片６５のフック６５Ｈの上下幅よりやや長く上下に延びるスリットが形成されており、係合片６５は、上下各フック６５Ｈを上下各スリットから後方へ突出させるようにして、支持片６４Ｓの折返部内に嵌入されている。支持片６４Ｓの下端部および上端近傍部にはそれぞれ、支持片６４Ｓに局部的にコ字状に切り込みを入れて垂直に引き起こすようにして複数の掛止片が形成されており、これら掛止片により係合片６５の前側縁が掛止されて前方への移動が規制されている。これにより、係合片６５が、上下にスライド可能に支持片６４Ｓに支持されている。図９に示すように、係合片６５の上端よりやや下方と、基枠６４における固定片６４Ｆの上端部との間には引っ張りコイルバネ６６が懸架されており、これにより係合片６５が上方に引っ張られるように付勢されている。外枠１１の右側片における内側面の上下には、係合片６５の上下各フック６５Ｈに対応する位置に受け金具がそれぞれ固定されており（図示せず）、外枠１１に対して内枠１２を閉じていくと、上下各フック６５Ｈの斜線状の上側縁が受け金具に当接してカム状に機能し、引っ張りコイルバネ６６の付勢力に抗して係合片６５が次第に引き下げられていき、各フック６５Ｈの鉤部６５Ｅが受け金具の位置に到達すると、係合片６５が引っ張りコイルバネ６６の付勢力により再び上方に引き上げられ、各フック６５Ｈの鉤部６５Ｅが受け金具に係合して、これにより外枠１１に対して内枠１２が閉じた状態に拘束される。
【０１００】
図４０に示すように、シリンダ錠６２のフランジ６２Ｆの中央からは、鍵の操作により回転する回転軸６２Ｒが後方（図４０では前方）へ突出し、回転軸６２Ｒの先端には、短尺の円筒状の回転子６７が同軸となるように固定されている。回転子６７の後端からは、軸方向に直交するように上方へ概略台形状に拡がる形状の係合突片６７Ｅが延出している。基枠６４の伝達機構支持部６４Ｔにおける中央片６４Ｃの中央部には、回転子６７より僅かに大径の円形孔６４Ｐが穿設されており、この円形孔６４Ｐに回転子６７が挿通されて回転自在にかつ前後に移動自在に保持されている。また、伝達機構支持部６４Ｔの中央片６４Ｃにおける円形孔６４Ｐの上方および下方にはそれぞれ軸挿通孔が穿設されており、各軸挿通孔にシリンダ錠６２の上下の軸６２Ｄがそれぞれ挿通され、各軸挿通孔から後方へ突出した軸６２Ｄの先端にナット６２Ｎがそれぞれ固定されている。伝達機構支持部６４Ｔの中央片６４Ｃとシリンダ錠６２のフランジ６２Ｆとの間には圧縮コイルバネ６２Ｓがあってシリンダ錠６２を前方へ付勢するが、軸６２Ｄの先端のナット６２Ｎにより、シリンダ錠６２が限度以上に前方へ移動しないように、即ち伝達機構支持部６４Ｔから離脱しないように規制される。この構造により、シリンダ錠６２は通常、ナット６２Ｎによる規制範囲内で圧縮コイルバネ６２Ｓの付勢力により最大限に前方へ移動した状態で保持されるようになっている。
【０１０１】
基枠６４の伝達機構支持部６４Ｔにおける左側片６４Ｌおよび右側片６４Ｒの内側には、左側スライダ６８Ｌおよび右側スライダ６８Ｒが嵌装されている。左側スライダ６８Ｌは、伝達機構支持部６４Ｔにおける左側片６４Ｌの幅より若干小さい幅を有して上下に帯状に延びる金属板よりなる部材となっている。左側スライダ６８Ｌの上端部は右方へ直角に折曲されてフック片６８１Ｌが形成され、フック片６８１Ｌの先端縁部は僅かな幅だけ下方に直角に折曲されており、またフック片６８１Ｌの先端縁中央付近から基端縁（左側端縁）近傍まで内側（左側）へ延びるスリットが形成されている。左側スライダ６８Ｌの高さ方向中央部には、後側縁から縦長の矩形状に凹入する掛止切欠６８２Ｌが形成されている。右側スライダ６８Ｒは、左側スライダ６８Ｌと左右対称に構成されており、同様のフック片６８１Ｒおよび掛止切欠６８２Ｒが形成されている。
【０１０２】
基枠６４の伝達機構支持部６４Ｔにおける左側片６４Ｌの高さ方向中央部には、後側縁から縦長の矩形状に凹入する矩形切欠６４１Ｌが形成され、矩形切欠６４１Ｌの内奥縁（前側縁）の上端部には、後方へ延出して内側（右側）へ平面視略Ｕ字状に折り返されて前方へ延びる掛止小片６４２Ｌが形成されている。図３８に示すように、左側スライダ６８Ｌは、フック片６８１Ｌを右側（図３８では左側）へ向けた体勢で伝達機構支持部６４Ｔにおける左側片６４Ｌの内側に嵌入される。このとき、伝達機構支持部６４Ｔにおける左側片６４Ｌの延出端（後端）が前述の通り右側へ若干延出しており、この延出部により、左側スライダ６８Ｌの後側縁が支承される。また、上述のように左側スライダ６８Ｌを伝達機構支持部６４Ｔにおける左側片６４Ｌの内側に嵌入した状態で、左側スライダ６８Ｌにおける掛止切欠６８２Ｌの内奥縁（前側縁）を内側に挟み込むようにして、伝達機構支持部６４Ｔにおける左側片６４Ｌの掛止小片６４２Ｌが平面視略Ｕ字状に折り返され、これにより掛止小片６４２Ｌが掛止切欠６８２Ｌの内奥縁（前側縁）に掛止する。こうして、左側スライダ６８Ｌが伝達機構支持部６４Ｔにおける左側片６４Ｌの内側に上下にスライド自在に保持され、このとき、左側スライダ６８Ｌにおける掛止切欠６８２Ｌの上側縁および下側縁に、伝達機構支持部６４Ｔにおける左側片６４Ｌの掛止小片６４２Ｌが当接し、左側スライダ６８Ｌのそれ以上の下方および上方への移動が規制される。即ち、伝達機構支持部６４Ｔにおける左側片６４Ｌの掛止小片６４２Ｌが、当該左側片６４Ｌの内側に左側スライダ６８Ｌを保持するとともに、左側スライダ６８Ｌの上下の移動限界を規定するストッパとしても機能するようになっている。
【０１０３】
右側スライダ６８Ｒは、左側スライダ６８Ｌと左右対称の体勢で、伝達機構支持部６４Ｔにおける右側片６４Ｒの内側に嵌入される。このとき、右側片６４Ｒの後端は、左方へ若干延出して支持片６４Ｓに連続しており、この延出部により、右側スライダ６８Ｒの後側縁が支承される。また、右側スライダ６８Ｒには、掛止部材６９が装着される。掛止部材６９は、図３９および図４０に示すように、それぞれ上下に帯状に延びる右側板と左側板とが、前後方向に平行な体勢（伝達機構支持部６４Ｔにおける右側片６４Ｒに平行な体勢）で、若干間隔をおいて対向配置され、右側板および左側板の後側端縁の上端部同士が後方へやや延出して平面視略Ｕ字形状をなして一体的に連続し、これにより折返連絡部６９Ｆが形成された構成となっている。また、右側板の前側端縁の上端部は外側（右側）へ直角に延出して掛止片６９Ｅが形成され、左側板の前側端縁の下端部は外側（左側）へ直角に延出して矩形状の接合片６９Ｃが形成されている。掛止部材６９は、図３６ないし図３８に示すように、右側スライダ６８Ｒにおける掛止切欠６８２Ｒの内奥縁（前側縁）に折返連絡部６９Ｆを掛止させつつ、右側板と左側板との間に右側スライダ６８Ｒを挟み込むようにして装着される。一方、図３９および図４０に示すように、伝達機構支持部６４Ｔの中央片６４Ｃにおける円形孔６４Ｐの右上方には、右側片６４Ｒに隣接するようにして、矩形の掛止小孔６４Ｄが穿設されている。右側スライダ６８Ｒは、上述のようにして掛止部材６９を装着した状態で、伝達機構支持部６４Ｔにおける右側片６４Ｒの内側に嵌入され、掛止部材６９の掛止片６９Ｅが伝達機構支持部６４Ｔの掛止小孔６４Ｄに挿入されて掛止されるとともに、掛止部材６９の接合片６９Ｃが伝達機構支持部６４Ｔにおける中央片６４Ｃの内側面に溶接、ネジ止め等により接合され、これにより掛止部材６９が伝達機構支持部６４Ｔに固定される。こうして、右側スライダ６８Ｒが伝達機構支持部６４Ｔにおける右側片６４Ｒの内側に上下にスライド自在に保持され、このとき、右側スライダ６８Ｒにおける掛止切欠６８２Ｒの上側縁および下側縁に、掛止部材６９の折返連絡部６９Ｆが当接し、右側スライダ６８Ｒのそれ以上の下方および上方への移動が規制される。即ち、掛止部材６９の折返連絡部６９Ｆが、上述の伝達機構支持部６４Ｔにおける左側片６４Ｌの掛止小片６４２Ｌの場合と同様に、当該右側片６４Ｒの内側に右側スライダ６８Ｒを保持するとともに、右側スライダ６８Ｒの上下の移動限界を規定するストッパとしても機能するようになっている。
【０１０４】
図９および図１０に示すように、内枠１２の右上、右下、左上および左下の各隅部には、右上軸支部７０Ａ、右下軸支部７０Ｂ、左上軸支部７０Ｃおよび左下軸支部７０Ｄがそれぞれ配設されており、これにより前面枠セット１４が内枠１２に軸支されるようになっている。
【０１０５】
右上軸支部７０Ａは、図４６および図４７に示すように、内枠１２側に配設される軸受側機構７１Ｒと、前面枠セット１４側に配設される軸側機構７１Ｓとを備える基本構成となっている。軸受側機構７１Ｒは、可動部材７２が基材７３に保持された構成を有している。可動部材７２は、図４１および図４５に示すように、水平に配置され、垂直方向に貫通する軸挿通孔を有する平板状の基部７２Ｂから、前方へ作動片７２Ｆが延出し、左方へレバー片７２Ｌが延出した構成となっている。作動片７２Ｆの先端近傍には、図４５に示すように、右側縁から平面視半円状に凹入する軸嵌合切欠７２Ｒが形成され、図４１に示すように、軸嵌合切欠７２Ｒより基端側（基部７２Ｂ側）には、作動片７２Ｆの右側縁から、厚さ方向に一段下方へ下がってから右方へ延出し、さらにその先端から前方へ延出する押圧片７２Ｐが形成されている。押圧片７２Ｐの前端縁は、軸嵌合切欠７２Ｒの基端側（基部７２Ｂ側）端の位置から、軸嵌合切欠７２Ｒの円周方向よりも外側へ次第に拡がる弧状をなすように延びている。即ち、軸嵌合切欠７２Ｒの基端側（基部７２Ｂ側）端の位置から、軸嵌合切欠７２Ｒの径より大径の円弧形状をなすように押圧片７２Ｐの前端縁が延びている。レバー片７２Ｌの先端部は後方へ延出してすぐ上方へ立ち上がるように延出し、さらにその右端が右方へ延出して、これによりレバー片７２Ｌに対し垂直であってレバー片７２Ｌの後側縁に沿って基端側（基部７２Ｂ側）へ折り返すように延びる掛止片７２Ｅが形成されている。掛止片７２Ｅの下端縁中央部には、矩形状に凹入する切欠が形成されている。
【０１０６】
基材７３は、可動部材７２の基部７２Ｂおよびレバー片７２Ｌに対応する左右方向の長さおよび前後方向の幅を有して水平に拡がる基部７３Ｂを備え、基部７３Ｂの右端部からは、前方へ固定作動片７３Ｆが延出している。固定作動片７３Ｆの先端近傍には、左側縁から平面視半円状に凹入する軸嵌合切欠７３Ｒが形成されている。基部７３Ｂの右端部には、垂直方向に貫通する軸挿通孔が穿設されている。基部７３Ｂにおける後側縁の右側半部からは、上方へ矩形状の接合片７３Ｃが延出し、接合片７３Ｃの４隅部にはネジ挿通孔が穿設されている。基部７３Ｂにおける後側縁の左側半部は、接合片７３Ｃよりもやや後方まで延出し、その延出端縁の両端部から、側面視概略コ字状をなして後方へ膨出してから上方へやや延びる挟持片７３Ｐがそれぞれ延出している。基部７３Ｂの上には、可動部材７２の基部７２Ｂおよびレバー片７２Ｌが載置され、この状態で軸挿通孔にリベットが挿通されて固定され、これにより可動部材７２が基材７３に回動可能に支持される。
【０１０７】
図４８および図４９に示すように、内枠１２の右上の隅部における上端よりやや下方の位置には、右端近傍から内側（左側）へ横長に延びる貫通部１２Ｐが穿設されており、可動部材７２および基材７３は、作動片７２Ｆおよび固定作動片７３Ｆと、基部７２Ｂ、７３Ｂおよびレバー片７２Ｌの前側部を貫通部１２Ｐに挿通するようにして、内枠１２の右上の隅部に後方から嵌着され、内枠１２の後側面における貫通部１２Ｐの上方に、基材７３の接合片７３Ｃがネジ止めにより接合されて固定される。図４８に示すように、貫通部１２Ｐの左側半部は、前方へ直方体状に膨出する突出部１２Ｅが形成されており、可動部材７２および基材７３における作動片７２Ｆより左側の半部が突出部１２Ｅにより前方から覆われるようになっている。また、図４９に示すように、貫通部１２Ｐの左側半部（図４９では右側半部）は上方へやや幅広となっている。
【０１０８】
図４８および図４９に示すように、基材７３の接合片７３Ｃの直下には、矩形状の垂直片の下端から矩形状の水平片が後方へ延出するブラケット７４Ａが配置され、内枠１２の後側面における貫通部１２Ｐの下方に垂直片が接合されて固定される。ブラケット７４Ａの水平片における後側縁の中央部には、内側（前側）へ凹入する切欠が形成されている。ブラケット７４Ａと基材７３との間には可撓性を有するチューブ７５Ａが架設されている。チューブ７５Ａの両端には、２つのフランジ部が間隔をおいて形成された構成を有する端部材７５Ｅが固定されており、一方の端部材７５Ｅが両フランジ部の間でブラケット７４Ａの切欠に嵌入され、これより上方に延びたチューブ７５Ａの上部が左上方へ曲げられて先端が前方へ向けられ、他方の端部材７５Ｅが両フランジ部の間で基材７３の両挟持片７３Ｐの間に嵌入されている。
【０１０９】
チューブ７５Ａには第１ワイア７６Ａが下方から挿通され、第１ワイア７６Ａの先端部は可動部材７２における掛止片７２Ｅの切欠に挿通され、その先端には短尺の円柱状の留具７７が固定されており、これにより第１ワイア７６Ａの先端が可動部材７２の掛止片７２Ｅに掛止するようになっている。可動部材７２の掛止片７２Ｅとチューブ７５Ａの一方の端部材７５Ｅとの間では、第１ワイア７６Ａに圧縮コイルバネ７８が外嵌されており、これにより可動部材７２が上面視反時計回り方向に付勢されている。このように可動部材７２が圧縮コイルバネ７８で付勢されることにより、図４５に示すように、可動部材７２の作動片７２Ｆと基材７３の固定作動片７３Ｆとが通常は合わさって閉じた体勢に保持されており、これにともない、可動部材７２の軸嵌合切欠７２Ｒと基材７３の軸嵌合切欠７３Ｒとが一体となって円形の軸挿通孔を構成している。また、可動部材７２の作動片７２Ｆおよび基材７３の固定作動片７３Ｆはそれぞれ、先端が平面視において丸く先細りするように形成されており、したがって上記のようにこれら作動片７２Ｆと固定作動片７３Ｆとが閉じた体勢においては、これらの先端部が一体となって、両側から中央にかけて内側（後側）へ平面視概略谷状に凹入する形状をなしている。
【０１１０】
軸側機構７１Ｓは、図４２、図４４、図４６および図４７に示すように、ケーシング８１と前面枠セット１４との間に可動軸部材８２が移動可能に保持された構成となっている。ケーシング８１は、図４６および図４７に示すように、正面視概略横長の矩形状で前後方向の寸法がやや小さい直方体（即ち正面視概略横長の矩形状で前後方向にやや厚みのある平板）状であって、前側面が全面的に開放された中空形状を有している。上側壁、左側壁および下側壁における４箇所の端部（右上、左上、左下および右下の各端部）はそれぞれ、断面弧状で前後に延びるように内側へ凹入し、その前端面が壁で閉塞されてネジ挿通孔が穿設され、これによりネジ挿通部８１Ｓが形成されている。右上および左上の両ネジ挿通部８１Ｓの間の上側壁には、概略横長の長方形の右下および左下の隅部が丸く角落ちした断面形状で前後に延びる台形状となるように内側へ凹入する充填部８１Ｆが形成されている。充填部８１Ｆの前面はケーシング８１の前側端の位置よりも若干内側（後側）に後退した位置にあって閉塞されており、充填部８１Ｆの後端はケーシング８１の後側壁に突き当たって一体的に連続している。また、ケーシング８１の上側壁からの充填部８１Ｆの凹入深さは両側のネジ挿通部８１Ｓの凹入深さと同一となっている。一方、左下および右下の両ネジ挿通部８１Ｓの間の下側壁には、上記充填部８１Ｆと上下対称となるように充填部８１Ｆが形成されている。ケーシング８１の右側壁における前側端縁の中央部から、後側壁の中央部にかけて、同一幅で横断面Ｌ字状に延びる動作用切欠８１Ｐが形成されている。
【０１１１】
可動軸部材８２は、正面視概略矩形状であって右側縁中央部が内側へ概略矩形状に凹入して全体として正面視概略Ｃ字形状をなす板状部材８２Ｂを有し、板状部材８２Ｂの右上部および右下部において右方へ延びる両片の先端部が、それぞれ前側で左方へ巻回するようにして円柱状に形成され、これら両円柱状部の中心に、回転軸８２Ｓの両端部が巻き込むようにして固定された構成となっている。
【０１１２】
可動軸部材８２は、支持部材８３に固定される。支持部材８３は、正面視概略矩形状であって前後方向の寸法がやや小さい概略ブロック（直方体）状体の右側縁中央部が内側へ概略矩形状に凹入し、全体として、可動軸部材８２における円柱状部以外の部位にほぼ対応する正面視概略Ｃ字形状の部材となっている。支持部材８３の後上側端縁および後下側端縁はそれぞれ上方および下方へやや延出して突条８３Ｒが形成されている。支持部材８３の高さ方向中央部には、前側面から縦断面矩形状に内側（後側）へ凹入し、左側面から中央近傍まで水平に延びる溝部８３Ｇが形成されている。支持部材８３の後側面における４隅部にはそれぞれネジ穴が形成され、右上および左上の両ネジ穴の間ならびに右下および左下の両ネジ穴の間にはそれぞれボスが突設されている。可動軸部材８２の板状部材８２Ｂには、支持部材８３のネジ穴およびボスに対応する位置にそれぞれネジ挿通孔およびボス孔が穿設されており、ボス孔にボスを挿入して位置決めし、ネジ挿通孔を通してネジ穴にネジ８４を螺入することにより、可動軸部材８２が支持部材８３にネジ固定される。
【０１１３】
前面枠セット１４における右後上の隅部は直方体状に切り欠くようにして機構収容部１４Ｈが形成されている。さらに、図４７に示すように、機構収容部１４Ｈの前後方向における内奥面部すなわち前側面部（図４７では後側面部）には、この内奥面部より小さい高さおよび幅の矩形状の正面形状を有して内側（前側）に概略直方体状に凹入する支持部材収容凹部１４Ｒが形成されている。支持部材収容凹部１４Ｒ内の右前上および右前下の隅部にはそれぞれ、直方体状の規制突起部１４Ｐが形成されている。支持部材収容凹部１４Ｒの右側壁の中央部は前端から後端まで貫通するように切り欠かれている。機構収容部１４Ｈの内奥面部において、支持部材収容凹部１４Ｒの上方および下方における左端近傍および右端近傍にはそれぞれネジ穴が形成されている。
【０１１４】
支持部材収容凹部１４Ｒには、可動軸部材８２が固定された支持部材８３が嵌入され、さらに該可動軸部材８２および支持部材８３を後方から覆うようしてケーシング８１が配置され、ネジ挿通部８１Ｓを通して機構収容部１４Ｈの内奥面部のネジ穴にそれぞれネジ８５が螺入されて固定される。このとき、前述の通りケーシング８１における充填部８１Ｆの前面はケーシング８１の前側端の位置よりも若干内側（後側）に後退するように形成されているので、ケーシング８１が機構収容部１４Ｈに取り付けられた状態で、該充填部８１Ｆの前面と機構収容部１４Ｈの内奥面との間には間隙が形成され、この間隙に支持部材８３の突条８３Ｒが挟まれるようにして支持され、これにより、可動軸部材８２が固定された支持部材８３がケーシング８１と機構収容部１４Ｈとの間に左右方向にスライド可能に保持される。またこのとき、支持部材８３は、溝部８３Ｇ内に圧縮コイルバネ８６を左右に向けた体勢で嵌入するようにして取り付けられ、これにより、機構収容部１４Ｈの左側面に対して支持部材８３が右方へ付勢されるようになっている。
【０１１５】
図９および図１０に示すように、左上軸支部７０Ｃは、右上軸支部７０Ａと左右対称となるように構成され、右下軸支部７０Ｂは、右上軸支部７０Ａと基本的に同様に構成されており、このため左上軸支部７０Ｃおよび右下軸支部７０Ｂの説明は省略する。ただし、右下軸支部７０Ｂにおいては、図３９および図４０に示すように、ブラケット７４Ｂの水平片に左右２つの切欠が形成され、左側の切欠には、前記右上軸支部７０Ａのチューブ７５Ａと同様の構成を有するチューブ７５Ｂが同様の構造で配設されて第２ワイア７６Ｂが挿通されているが、右側の切欠には、前記右上軸支部７０Ａにおけるチューブ７５Ａの端部材７５Ｅと同様の構成を有する案内部材８７が嵌入され、前記右上軸支部７０Ａの第１ワイア７６Ａが挿通されている。左下軸支部７０Ｄは、右下軸支部７０Ｂと左右対称となるように構成されており、このためその説明は省略する。
【０１１６】
図３９および図４０に示すように、前記右側スライダ６８Ｒの直上には軸方向を前後に向けた第１右側滑車８８Ａが軸支されており、第１ワイア７６Ａは該第１右側滑車８８Ａに案内されて右側スライダ６８Ｒにおけるフック片６８１Ｒのスリットに挿通され、その先端には留具が固定されていてフック片６８１Ｒの内側面（下側面）に掛止している。第２ワイア７６Ｂは、滑車に案内されることなく、右側スライダ６８Ｒにおけるフック片６８１Ｒのスリットに挿通され、先端に固定された留具によりフック片６８１Ｒの内側面（下側面）に掛止している。
【０１１７】
図１２、図１３等に示すように、左側スライダ６８Ｌにおけるフック片６８１Ｌの直上および左方（図１２および図１３では右方）には、第１右側滑車８８Ａと同様にして第４右側滑車８８Ｄおよび第３右側滑車８８Ｃがそれぞれ軸支され、内枠１２の後側面における左下軸支部７０Ｄの下方には、第４右側滑車８８Ｄおよび第３右側滑車８８Ｃとそれぞれ等しい高さ位置であって互いに右上および左下の斜方に並び合う２箇所に、第４左側滑車８９Ｄおよび第３左側滑車８９Ｃがそれぞれ軸支されている。第３ワイア７６Ｃおよび第４ワイア７６Ｄが、一方端を前記第１ワイア７６Ａおよび第２ワイア７６Ｂの場合と同様にして左側スライダ６８Ｌにおけるフック片６８１Ｌに掛止させ、第３右側滑車８８Ｃおよび第４右側滑車８８Ｄにそれぞれ案内されて左方へ延び、第３左側滑車８９Ｃおよび第４左側滑車８９Ｄにそれぞれ案内されて上方へ延びて、他方端をそれぞれ前記第１ワイア７６Ａおよび第２ワイア７６Ｂの場合と同様にして左上軸支部７０Ｃおよび左下軸支部７０Ｄに固定されている。
【０１１８】
以上の構成においては、シリンダ錠６２、回転子６７等を含んで構成される操作機構（鍵操作機構）と、右側および左側スライダ６８Ｒ、６８Ｌ、第１ないし第４ワイア７６Ａ〜７６Ｄ、第１、第３および第４右側滑車８８Ａ、８８Ｃ、８８Ｄ、第３および第４左側滑車８９Ｃ、８９Ｄ等を含んで構成される伝達機構と、可動部材７２、基材７３、回転軸８２Ｓ等を含んで構成される軸支機構とが、この順に連動し得るように連結（リンク）され、操作機構（鍵操作機構）の操作による動力が、伝達機構を介して伝達されて軸支機構における軸支状態が解除されるように駆動される構成となっている。
【０１１９】
以下、内枠１２および前面枠セット１４の開閉操作を順次説明する。
Ａ．閉状態
前述の通り、外枠１１に対して内枠１２を閉じると、これにともなって係合片６５のフック６５Ｈが外枠１１の受け金具に係合し、これにより外枠１１に対して内枠１２が閉じた状態に拘束される。一方、内枠１２に前面枠セット１４を嵌め込むと、右上軸支部７０Ａ、右下軸支部７０Ｂ、左上軸支部７０Ｃおよび左下軸支部７０Ｄにより、内枠１２に対して前面枠セット１４が閉じた状態に拘束される。
【０１２０】
具体的には、右上軸支部７０Ａの場合を代表例としていうと、図４５に示すように、内枠１２側の軸受側機構７１Ｒにおける可動部材７２の作動片７２Ｆと基材７３の固定作動片７３Ｆとが、前述の通り、圧縮コイルバネ７８の付勢力によって通常は合わさって閉じた体勢に保持されており、この閉じた体勢においては、作動片７２Ｆと固定作動片７３Ｆとの先端部が一体となって、両側から中央にかけて内側（後側）へ平面視概略谷状に凹入する形状をなしているのであるが、これに対して前面枠セット１４側の軸側機構７１Ｓを図４５の矢印Ａ１１に示すように嵌め込んでいくと、可動軸部材８２の回転軸８２Ｓが上記作動片７２Ｆと固定作動片７３Ｆとの凹入形状部に入り込み、圧縮コイルバネ７８の付勢力に抗して作動片７２Ｆを押し広げながら進入していく。回転軸８２Ｓが可動部材７２の軸嵌合切欠７２Ｒおよび基材７３の軸嵌合切欠７３Ｒの位置まで達してこれら軸嵌合切欠７２Ｒ、７３Ｒに嵌合すると、圧縮コイルバネ７８の付勢力により作動片７２Ｆが再び固定作動片７３Ｆと合わさって閉じた体勢に復帰する。これにより、可動部材７２の軸嵌合切欠７２Ｒと基材７３の軸嵌合切欠７３Ｒとにより回転軸８２Ｓが包囲された体勢となり、圧縮コイルバネ７８の付勢力によってこの体勢に保持される。即ち、圧縮コイルバネ７８の付勢力によって可動部材７２の軸嵌合切欠７２Ｒと基材７３の軸嵌合切欠７３Ｒとが一体となって円形の軸挿通孔を形成した体勢に保持され、この軸挿通孔に回転軸８２Ｓが軸支された体勢で保持される。右下軸支部７０Ｂ、左上軸支部７０Ｃおよび左下軸支部７０Ｄにおいても、それぞれ右上軸支部７０Ａの場合と同様にして軸挿通孔に回転軸が軸支された体勢で保持され、これにより、図７ないし図１３に示すように前面枠セット１４が４隅部で内枠１２に軸支されて閉じた状態に拘束される。
【０１２１】
Ｂ．内枠の開放
上述のように内枠１２および前面枠セット１４のいずれも閉じた状態あるいは後述の操作により前面枠セット１４のみ開放した状態、即ち前面枠セット１４の開閉状態を問わず内枠１２を外枠１１に対して閉じた状態で、図３５に示すように、シリンダ錠６２に鍵Ｋ１を挿入し、矢印Ａ１２で示すように圧縮コイルバネ６２Ｓの付勢力に抗してシリンダ錠６２を後方へ押し込みながら、図３６に矢印Ａ１３で示すように、鍵Ｋ１を時計回り方向（図３６では反時計回り方向）に回転させる。これにより、回転子６７が後方へ押し込まれた位置で時計回り方向に回転し、これにともなって、係合突片６７Ｅが係合片６５の係合切欠６５Ｒに係合して同図に矢印Ａ１４で示すように該係合切欠６５Ｒを押し下げ、これにより図１４ないし図２０に示すように係合片６５が引っ張りコイルバネ６６の付勢力に抗して押し下げられる。こうして係合片６５が押し下げられると、各フック６５Ｈの鉤部６５Ｅが受け金具から下方へ外れ、これにより、外枠１１に対して内枠１２が閉じた状態が解除されるので、内枠１２の右側部を手前に引くようにして開放することができる。
【０１２２】
Ｃ．前面枠セットの左開き
上述のように内枠１２および前面枠セット１４のいずれも閉じた状態あるいは内枠１２のみ開放した状態、即ち内枠１２の開閉状態を問わず前面枠セット１４を内枠１２に対して閉じた状態で、図３７に示すように、シリンダ錠６２に鍵Ｋ１を挿入し、シリンダ錠６２を押し込まずに圧縮コイルバネ６２Ｓの付勢力により前方へ押し出された状態としたまま、図３８に矢印Ａ１５で示すように、鍵Ｋ１を時計回り方向（図３８では反時計回り方向）に回転させる。これにより、回転子６７が後方へ押し込まれていない前方の位置で時計回り方向に回転し、これにともなって、係合突片６７Ｅが右側スライダ６８Ｒの掛止切欠６８２Ｒに係合して同図に矢印Ａ１６で示すように該掛止切欠６８２Ｒを押し下げ、これにより図２６および図２７に示すように右側スライダ６８Ｒが押し下げられる。
【０１２３】
右側スライダ６８Ｒが押し下げられると、フック片６８１Ｒに掛止している第１ワイア７６Ａおよび第２ワイア７６Ｂがともに引き下げられる。第１ワイア７６Ａが引き下げられると、図４３および図４４に示すように、該第１ワイア７６Ａの先端に掛止している掛止片７２Ｅが圧縮コイルバネ７８の付勢力に抗して後方へ引かれ、これにより可動部材７２が同図に矢印Ａ１７で示すように平面視時計回り方向に回動する。可動部材７２がこうして回動すると、作動片７２Ｆが基材７３の固定作動片７３Ｆから離れ拡開するように回動するが、この回動にともない、可動部材７２における押圧片７２Ｐの前端縁が回転軸８２Ｓに突き当たり、同図に矢印Ａ１８で示すように圧縮コイルバネ８６の付勢力に抗して該回転軸８２Ｓを固定作動片７３Ｆから離れるように左方へやや押しのける。これにより、回転軸８２Ｓは基材７３の軸嵌合切欠７３Ｒから脱離し、一方、押圧片７２Ｐの前端縁は、前述の通り可動部材７２における軸嵌合切欠７２Ｒの基端側（基部７２Ｂ側）端の位置から、軸嵌合切欠７２Ｒの円周方向よりも外側へ次第に拡がる形状となっているので、上述のように可動部材７２が回動すると、作動片７２Ｆの先端部と押圧片７２Ｐの前端縁との間の間隙が、前方へ向けて開けるような体勢となり、したがって回転軸８２Ｓが前方への移動を拘束されない状態（以下、「非拘束状態」とも称す）となる。他方、これと同時に、第２ワイア７６Ｂが引き下げられることによって、右下軸支部７０Ｂにおいても同様にして非拘束状態となる。
【０１２４】
上述のようにして右上軸支部７０Ａおよび右下軸支部７０Ｂにおいて非拘束状態となる一方で、左上軸支部７０Ｃおよび左下軸支部７０Ｄにおいては引き続き回転軸が軸支された体勢で拘束されているので、この状態で前面枠セット１４の右側部を手前に引くようにすると、図２１ないし図２５に示すように左上軸支部７０Ｃおよび左下軸支部７０Ｄの回転軸まわりに前面枠セット１４を開き戸状に左方へ開放すること（本明細書では「左開き」とも称す）が可能となる。同図に示すように、前面枠セット１４を左方へ約９０°回動させると、その左側面が内枠１２に突き当たり、これ以上の回動は困難となる。即ち、前面枠セット１４を左方へ約９０°回動させた位置が左方への開放限界位置となっている。
【０１２５】
Ｄ．前面枠セットの右開き
上述のように内枠１２および前面枠セット１４のいずれも閉じた状態あるいは内枠１２のみ開放した状態、即ち内枠１２の開閉状態を問わず前面枠セット１４を内枠１２に対して閉じた状態で、図３７に示すように、シリンダ錠６２に鍵Ｋ１を挿入し、シリンダ錠６２を押し込まずに圧縮コイルバネ６２Ｓの付勢力により前方へ押し出された状態としたまま、図３８に矢印Ａ１９で示すように、鍵Ｋ１を反時計回り方向（図３８では時計回り方向）に回転させる。これにより、回転子６７が後方へ押し込まれていない前方の位置で反時計回り方向に回転し、これにともなって、係合突片６７Ｅが左側スライダ６８Ｌの掛止切欠６８２Ｌに係合して同図に矢印Ａ２０で示すように該掛止切欠６８２Ｌを押し下げ、これにより図３３および図３４に示すように左側スライダ６８Ｌが押し下げられる。
【０１２６】
左側スライダ６８Ｌが押し下げられると、フック片６８１Ｌに掛止している第３ワイア７６Ｃおよび第４ワイア７６Ｄがともに引き下げられ、これにともない、上述の右上軸支部７０Ａおよび右下軸支部７０Ｂが非拘束状態となる場合と同様にして、左上軸支部７０Ｃおよび左下軸支部７０Ｄが駆動されて非拘束状態となる。一方、右上軸支部７０Ａおよび右下軸支部７０Ｂにおいては引き続き回転軸が軸支された体勢で拘束されているので、この状態で前面枠セット１４の左側部を手前に引くようにすると、図２８ないし図３２に示すように右上軸支部７０Ａおよび右下軸支部７０Ｂの回転軸まわりに前面枠セット１４を開き戸状に右方へ開放すること（本明細書では「右開き」とも称す）が可能となる。同図に示すように、前面枠セット１４を右方へ約９０°回動させると、その右側面が内枠１２に突き当たり、これ以上の回動は困難となる。即ち、前面枠セット１４を右方へ約９０°回動させた位置が右方への開放限界位置となっている。
【０１２７】
以上のようにして、内枠１２および前面枠セット１４のいずれも、それぞれ外枠１１および内枠１２に対して押し込むようにして容易に閉じた状態に拘束することができ、一方、シリンダ錠６２を押し込みながら鍵Ｋ１で回転させる、シリンダ錠６２を押し込まずに鍵Ｋ１で時計回り方向に回転させる、ならびにシリンダ錠６２を押し込まずに鍵Ｋ１で反時計回り方向に回転させる、という３通りの操作により、内枠１２の開放、前面枠セットの左開きおよび前面枠セットの右開きという３通りの開放を容易に行うことができる。
【０１２８】
上記構成においては、内枠１２の右上、右下、左上および左下の各隅部に、右上軸支部７０Ａ、右下軸支部７０Ｂ、左上軸支部７０Ｃおよび左下軸支部７０Ｄがそれぞれ配設され、右上軸支部７０Ａおよび右下軸支部７０Ｂを右側の一組とし、左上軸支部７０Ｃおよび左下軸支部７０Ｄを左側の一組とし、これらニ組を一対として、例えば右上軸支部７０Ａおよび右下軸支部７０Ｂを選択的に非拘束状態とするといったように、左右一対のうちのいずれかの組ごとにまとめて（上下揃って）開放操作がなされるように構成されている。
【０１２９】
また、上記構成によれば、前面枠セット１４は、上記左右一対のうちのいずれかの組の軸支部を非拘束状態として開放した状態、即ち左開きまたは右開きとした状態で、軸支状態にある組の軸支部をさらに開放操作して非拘束状態とすることにより、前面枠セット１４を内枠１２から容易に取り外すこともできる。
【０１３０】
ここで、前面枠セット１４は、上述の通りシリンダ錠６２を押し込まずに鍵Ｋ１で時計回り方向に回転させるか反時計回り方向に回転させるかによって、左開きとするかも右開きとするかも自在に選択することが可能となっている（本明細書においては、このようにいずれの方向へも自在に選択的に開放可能な方式を「二様開き」とも称す）が、本パチンコ機１０においては、このような二様開きの構成に好適な構造で、前面枠セット１４とパチンコ機１０本体とを電気的に接続するようにしている。以下、この接続構造について説明する。
【０１３１】
図２１ないし図２４ならびに図２８ないし図３１に示すように、内枠１２と前面枠セット１４との間には、配線ガイド９０が架設されている。配線ガイド９０は、図５０および図５１に示すように、第１部材９１と第２部材９２とを連結して構成されている。
【０１３２】
第１部材９１は、横方向に帯状に長く延び、幅方向が上下方向に一致するように起立した板状片よりなる本体９１Ｂと、本体９１Ｂの一方端から他方端近傍まで帯状に延び、幅方向が水平方向に一致するように横臥した体勢で本体９１Ｂの上端縁に幅方向中央部で一体的に接合した板状片よりなるリブ９１Ｒとを有し、全体として断面Ｔ字形状をなして横方向に延びる樹脂よりなる部材となっている。リブ９１Ｒは、本体９１Ｂの一方端よりやや内側の位置で本体９１Ｂの幅方向（高さ方向）中央部に向かって直角に折れ曲がり、本体９１Ｂを両側から挟むようにして下方へ延び、本体９１Ｂの幅方向（高さ方向）中央部で本体９１Ｂの一方端に向かって直角に折れ曲がって延びている。即ち、この折れ曲がった位置から本体９１Ｂの先端まで、本体９１Ｂとリブ９１Ｒとが断面十字状に交差して延びる形状となっている。本体９１Ｂおよびリブ９１Ｒの先端には、軸受部９１Ｃが一体的に形成されている。軸受部９１Ｃは、本体９１Ｂの幅（高さ）と同一の長さで上下に延びる円筒状体の本体９１Ｂと反対側（図５０では右側）の周面が長さ方向に帯状に欠落するようにして横断面Ｃ字形状をなして上下に延びる形状を有し、さらにその先端の開放部における両端縁が先端側へやや拡開しながらそれぞれ方形の片状に延出する構成となっている。また、本体９１Ｂにおいて、上端縁に沿って延びるリブ９１Ｒが上述のように本体９１Ｂの幅方向（高さ方向）中央部に向かって直角に折れ曲がる部分の内側の位置から、リブ９１Ｒの他方端近傍の位置まで、等間隔をおいて複数箇所（４箇所）に、それぞれリブ９１Ｒの下面に沿って横長の長方形状に延びる形状をなして本体９１Ｂを厚さ方向に貫通する掛止孔９１Ｐが穿設されている。また、本体９１Ｂの他方端部（軸受部９１Ｃ形成側端部と反対側の端部）には、軸部９１Ｓが一体的に形成されている。軸部９１Ｓは、本体９１Ｂの他方端部における上下端縁を上下両側から挟むようにして、上下に平行に並置された２枚の長円形状を有する板状体の一方端部が配置形成され、両板状体の他方端部の間に、回動軸（図示せず）が一体的に形成された構成となっている。
【０１３３】
第２部材９２は、第１部材９１と同一の寸法および形状を有し同一の樹脂よりなる部材となっており、第１部材９１の場合と同様の本体９２Ｂ、リブ９２Ｒ、軸受部９２Ｃ、掛止孔９２Ｐおよび軸部９２Ｓを有する構成となっている。このため、第２部材９２についてこれ以上の説明は省略する。
【０１３４】
第１部材９１の軸受部９１Ｃには、第２部材９２の軸部９２Ｓの回動軸が圧入されて軸支され、これにより第１部材９１と第２部材９２とが上下方向の軸まわりに回動自在に連結されて配線ガイド９０が構成されている。
【０１３５】
図２２および図２８に示すように、内枠１２の前面における上端部中央には本体側軸受部１２Ｃが、前面枠セット１４の後面における上端部中央には前面扉側軸部部材１４Ｓが、それぞれ配設されている。本体側軸受部１２Ｃは、図５０および図５１に示すように、第１部材９１の本体９１Ｂの幅（高さ）と同一の厚さ（高さ）を有し、平面視先端が円弧状の略Ｕ字形状をなして内枠１２の前面から前方へ突出するように形成されている。本体側軸受部１２Ｃの先端部に、第１部材９１の軸部９１Ｓの回動軸（図示せず）が挿通されて回動自在に軸支されるようになっている。本体側軸受部１２Ｃの上方には、本体側軸受部１２Ｃの先端近傍の位置まで、横長の直方体形状をなして突出する開閉検出スイッチ１２Ｓが突設されている。該開閉検出スイッチ１２Ｓは、後方へ押圧すると内枠１２内に没入し得るように構成されており、前面枠セット１４の開閉を検出するスイッチとして機能するものとなっている。このように前面枠セット１４の開閉を検出する開閉検出スイッチ１２Ｓが内枠１２の前面における上端部中央に配設されていることにより、前面枠セット１４を左開きとした場合にも右開きとした場合にも同じタイミングでオンオフがなされるようになっている。前面扉側軸部部材１４Ｓは、第２部材９２の本体９２Ｂの幅（高さ）と同一の間隔をおいて形成された上壁部と下壁部との間に回動軸（図示せず）が架設され、右側および左側には、前後方向に軸を有する円筒形状であって内部にネジ挿通孔を有するネジ挿通部がそれぞれ一体的に形成された構成を有する部材となっている。前面枠セット１４の上端部には、図２２および図２８に示すように、右上軸支部７０Ａにすぐ隣接する位置から左上軸支部７０Ｃにすぐ隣接する位置まで、上端縁に沿って溝状に横長に延びる形状をなして後面から凹入する凹入部１４Ｎが形成されており、前面扉側軸部部材１４Ｓは該凹入部１４Ｎの中央部に嵌入され、ネジ挿通部でネジ固定されている。前面扉側軸部部材１４Ｓの回動軸（図示せず）は、第２部材９２の軸受部９２Ｃに圧入され、これにより該軸受部９２Ｃが前面扉側軸部部材１４Ｓに回動自在に軸支されるようになっている。
【０１３６】
配線ガイド９０の全長は、前面枠セット１４が左方ないし右方への開放限界位置すなわち左方ないし右方へ約９０°回動した位置にあるときの本体側軸受部１２Ｃと前面扉側軸部部材１４Ｓとの間の距離よりも、若干大きくなるように設定されている。これにより、図２１ないし図２４ならびに図２８ないし図３１に示すように、前面枠セット１４が左方ないし右方への開放限界位置にあるとき、配線ガイド９０が、その中央部すなわち第１部材９１の軸受部９１Ｃと第２部材９２の軸部９２Ｓとの連結部で若干だけ平面視略く字状に一方側（本実施形態では左側）へ角が突き出るように屈曲した体勢に保持されるようになっている。これによって、左方ないし右方への開放限界位置から前面枠セット１４を閉じる際に、これにともなって配線ガイド９０が確実かつスムーズに屈曲を進行させるようになっている。即ち、配線ガイド９０がステーとなってつかえることにより前面枠セット１４の回動を阻止するといった不具合が生じ難いようになっている。なおこの構成においては、前面枠セット１４を右開きにするか左開きにするかを問わず配線ガイド９０が常に大なり小なり一方側（本実施形態では左側）へ屈曲した体勢となるが、右側および左側のいずれの側へ屈曲させるようにしてもよい。
【０１３７】
前面枠セット１４をさらに閉じていくと、これにともなって配線ガイド９０もさらに屈曲していき、前面枠セット１４を最後まで閉じると、配線ガイド９０は二つ折りに折り畳まれた体勢となって、内枠１２と前面枠セット１４との間、具体的には前面枠セット１４の凹入部１４Ｎ内に収納される。
【０１３８】
配線ガイド９０には、図５２に示すように、前面枠セット１４とパチンコ機１０本体とを電気的に接続するハーネス９３が保持される。即ち、複数本のハーネス９３がハーネス留具９４により束ねられながら配線ガイド９０に固定される。ハーネス留具９４は、配線ガイド９０の第１および第２部材９１、９２における掛止孔９１Ｐ、９２Ｐの幅より僅かに小さい長辺とこの長辺より小さい短辺とを有する長方形状の底片９４Ｂを有し、該底片９４Ｂの両長辺が上方に延出して平行な２つの延出片が形成され、このうちの一方の延出片が外側（図５２では右側）へ直角に折れ曲がって延出して下側の掛止片９４Ｅが形成され、他方の延出片が、下側の掛止片９４Ｅよりもさらに上方まで延出してから内側へ折れ曲がって下側の掛止片９４Ｅと同方向に同一位置までほぼ平行に延出して上側の掛止片９４Ｅが形成されるように、全体として樹脂により一体的に成形された部材となっている。上下の掛止片９４Ｅの間隔は、掛止孔９１Ｐ、９２Ｐの上下幅（高さ）より僅かに大きくなっている。また、上下の掛止片９４Ｅの先端部には、先端からそれぞれ上側および下側へ次第に厚みが増大するよう斜面をなし、先端から一定距離の地点で元の掛止片９４Ｅの厚みに戻るように垂直面をなして、全体として断面略直角三角形状に上下に突出する爪部が形成されている。ハーネス留具９４には、上下の掛止片９４Ｅの間から複数本のハーネス９３が内部に挿入され、この状態で上下の掛止片９４Ｅが配線ガイド９０の掛止孔９１Ｐ、９２Ｐに圧入される。上下の掛止片９４Ｅが互いにやや寄り合うように弾性変形しながら掛止孔９１Ｐ、９２Ｐに進入していき、最後まで圧入されると、上下の掛止片９４Ｅの爪部がそれぞれ掛止孔９１Ｐ、９２Ｐの上端縁および下端縁に掛止し、これによりハーネス留具９４が掛止孔９１Ｐ、９２Ｐに固定される。
【０１３９】
ハーネス９３の一方側は、内枠１２の上端部中央を経て、パチンコ機１０本体に配置されたサブ制御基板に接続され、ハーネス９３の他方側は、前面枠セット１４の上端部中央を経て、前記各種ランプ等の発光手段のような電気部品に接続される。ここで、本パチンコ機１０においては、上述の通り前面枠セット１４が内枠１２に対して二様開き可能に取り付けられているため、仮に右側および左側のいずれか一方側の端部で接続を行うと、この接続された一方側の軸支部を非拘束状態として前面枠セット１４を開放する場合には、内枠１２側の接続部と前面枠セット１４側の接続部とが最大限に離隔することとなってその間の配線の長さも最大となり、そのぶん配線の収納も煩瑣で多くのスペースを要するものとなるとともに、前面枠セット１４の開放状態において配線が邪魔ともなりやすい。そこで、本パチンコ機１０においては、上述の通り、内枠１２の左右方向中央と前面枠セット１４の左右方向中央とを介して内枠１２と前面枠セット１４とを電気的に接続するようにしているので、配線すなわちハーネス９３が、長さも最小限に抑えられて収納しやすく邪魔となり難いようになっている。
【０１４０】
さらに、本パチンコ機１０においては、ハーネス９３が案内部材である配線ガイド９０により保持されながら案内される構成となっている。上述の通り、内枠１２と前面枠セット１４との間に架設されるハーネス９３の長さが最小限に抑えられているのであるが、仮にこのハーネス９３が他の部材を用いることなくそのまま単独で架設されると、前面枠セット１４を閉じた状態ではハーネス９３の体勢が一定せず、パチンコ機１０の外部にはみ出したり、あるいは、近傍に何らかの突出構造があればこれに引っ掛かったりして、該ハーネス９３自体が損傷しやすくなり、外観も損なわれることとなりやすい。また、前面枠セット１４を開放した状態でも、ハーネス９３がそのまま単独で架設されていると、なんらかの外力が加わった場合にこれを直接に受けることとなり、やはり損傷しやすいこととなる。これに対し、上記のようにハーネス９３を配線ガイド９０により保持しながら案内するようにすることにより、前面枠セット１４を閉じた状態において、ハーネス９３を外部にはみ出したり引っ掛かったりすることなく適正な体勢で収納することができる。また、前面枠セット１４を開放した状態でも、ハーネス９３が配線ガイド９０により防護されて外力による影響が緩和される。
【０１４１】
（作用）
本パチンコ機１０は、本体部材（遊技球が流下する遊技領域が前面に形成された遊技盤３０）と、この本体部材の前面（遊技盤３０の盤面）側を覆う前面扉である前面枠セット１４と、この前面枠セット１４を開放操作するためのシリンダ錠６２を用いた鍵操作機構とを備える構成において、前記前面枠セット１４が、対向する一対の端縁部である右側端縁部および左側端縁部でそれぞれ右上および右下軸支部７０Ａ、７０Ｂならびに左上および左下軸支部７０Ｃ、７０Ｄからなる軸支機構により、遊技機本体側の部材である内枠１２に着脱可能に軸支され、上記シリンダ錠６２を用いた鍵操作機構を操作することにより、上記一対の軸支機構（即ち右上および右下軸支部７０Ａ、７０Ｂと左上および左下軸支部７０Ｃ、７０Ｄとの一対）における軸支状態のうちのいずれか一方を軸として開閉し得る構成となっている。
【０１４２】
上記構成によれば、前面枠セット１４を一対の端縁部すなわち左右両端縁部でそれぞれ軸支機構により内枠１２に軸支することによって、前面枠セット１４を閉じた状態（閉状態）で拘束することができる。一方、この閉状態でシリンダ錠６２を用いた鍵操作機構を操作（開放操作）して一対の軸支機構における軸支状態のうちのいずれか一方を軸として開閉することによって、前面枠セット１４を回動させて開き戸式に開放することができる。即ち、前面枠セット１４における一対の端縁部すなわち左右両端縁部のうち、いずれの端縁部を固定端（軸支側端）としいずれの端縁部を自由端とするかを自在に選択して切替えることができるので、前面枠セット１４をその一対の端縁部のうちのいずれの端縁部側へも自在に選択的に開放すること、即ち前面枠セット１４の二様開きが可能となっている。
【０１４３】
したがって、盤面に対する各種作業を行う際には、作業を行う部位から比較的に離れた端縁部側へ前面枠セット１４を開放することにより、該前面枠セット１４が作業の邪魔とならないようにすることができる。
【０１４４】
また、両隣の遊技機のうち、例えば遊技中でない等の理由により比較的に邪魔になり難くなっている一方側へ選択的に前面枠セット１４を開放することにより、該前面枠セット１４が他方側に隣接する遊技機の遊技に対して邪魔とならないようにすることもできる。
【０１４５】
また、上記軸支機構が、遊技機本体側の部材である内枠１２に配設された一対の作動片７２Ｆ、７３Ｆと、前面扉である前面枠セット１４に配設された回転軸８２Ｓとを有して構成され、上記一対の作動片７２Ｆ、７３Ｆが、開閉可能に構成されて付勢手段である圧縮コイルバネ７８で付勢されることにより通常は合わさって閉じた体勢に保持され、両作動片７２Ｆ、７３Ｆにはそれぞれ軸嵌合切欠７２Ｒ、７３Ｒが設けられ、両作動片７２Ｆ、７３Ｆが閉じるのにともない両軸嵌合切欠７２Ｒ、７３Ｒが一体となって軸挿通孔が形成されるように構成されているので、両作動片７２Ｆ、７３Ｆを開閉させて該軸挿通孔に上記回転軸８２Ｓを挿通することにより、容易かつ確実に前面枠セット１４を内枠１２に着脱可能に軸支することができるようになっている。
【０１４６】
また、上記鍵操作機構が、鍵Ｋ１を挿入して一方に回転させると、上記一対の軸支機構における軸支状態のうちのいずれか一方を解除することができ、鍵Ｋ１を挿入して他方に回転させると、上記一対の軸支機構における軸支状態のうちの他方を解除することができるように構成されているので、鍵Ｋ１の操作により前面枠セット１４の二様開きを簡便かつ確実に行うことができるようになっている。
【０１４７】
また、上記鍵Ｋ１の回転による動力が、線状部材である第１ないし第４ワイア７６Ａ、７６Ｂ、７６Ｃ、７６Ｄを介して伝達されることにより、上記一対の軸支機構すなわち右上および右下軸支部７０Ａ、７０Ｂと左上および左下軸支部７０Ｃ、７０Ｄとの一対がそれぞれ駆動されるようになっているので、鍵Ｋ１の挿入部すなわちシリンダ錠６２から離隔した駆動位置である右上、右下、左上および左下軸支部７０Ａ、７０Ｂ、７０Ｃ、７０Ｄのそれぞれへ、簡潔な構成により効果的に動力が伝達されるようになっている。
【０１４８】
また、上記前面扉である前面枠セット１４が軸支される遊技機本体側の部材が内枠１２となっており、さらに該内枠１２が、遊技機本体側の別の部材である外枠１１に軸支されており、上記鍵操作機構が、鍵Ｋ１を挿入して押し込みながら回転させると、上記外枠１１に対して内枠１２が閉じて拘束された状態が解除されるように構成されているので、上記前面枠セット１４の二様開きに内枠１２の開放もあわせた３通りの開放操作を鍵Ｋ１の操作により簡便かつ確実に行うことができるようになっている。
【０１４９】
また、本パチンコ機１０は、本体部材（遊技球が流下する遊技領域が前面に形成された遊技盤３０）と、この本体部材の前面（遊技盤３０の盤面）側を覆う前面扉である前面枠セット１４と、この前面枠セット１４を開放操作するためのシリンダ錠６２を用いた操作機構とを備える構成において、前記前面枠セット１４が、対向する一対の端縁部である右側端縁部および左側端縁部でそれぞれ右上および右下軸支部７０Ａ、７０Ｂならびに左上および左下軸支部７０Ｃ、７０Ｄからなる軸支機構により、遊技機本体側の部材である内枠１２に着脱可能に軸支され、上記シリンダ錠６２を用いた操作機構を操作することにより、上記一対の軸支機構（即ち右上および右下軸支部７０Ａ、７０Ｂと左上および左下軸支部７０Ｃ、７０Ｄとの一対）における軸支状態のうちのいずれか一方を軸として開閉可能に構成され、上記対向する一対の端縁部の間における実質的に中央の位置を介して、上記前面枠セット１４と上記内枠１２とが電気的に接続された構成となっている。
【０１５０】
上記構成によれば、前面枠セット１４を一対の端縁部すなわち左右両端縁部でそれぞれ軸支機構により内枠１２に軸支することによって、前面枠セット１４を閉じた状態（閉状態）で拘束することができる。一方、この閉状態でシリンダ錠６２を用いた操作機構を操作（開放操作）して一対の軸支機構における軸支状態のうちのいずれか一方を軸として開閉することによって、前面枠セット１４を回動させて開き戸式に開放することができる。即ち、前面枠セット１４における一対の端縁部すなわち左右両端縁部のうち、いずれの端縁部を固定端（軸支側端）としいずれの端縁部を自由端とするかを自在に選択して切替えることができるので、前面枠セット１４をその一対の端縁部のうちのいずれの端縁部側へも自在に選択的に開放すること、即ち前面枠セット１４の二様開きが可能となっている。
【０１５１】
したがって、盤面に対する各種作業を行う際には、作業を行う部位から比較的に離れた端縁部側へ前面枠セット１４を開放することにより、該前面枠セット１４が作業の邪魔とならないようにすることができる。
【０１５２】
また、両隣の遊技機のうち、例えば遊技中でない等の理由により比較的に邪魔になり難くなっている一方側へ選択的に前面枠セット１４を開放することにより、該前面枠セット１４が他方側に隣接する遊技機の遊技に対して邪魔とならないようにすることもできる。
【０１５３】
ところで、前面枠セット１４には、前記各種ランプ等の発光手段のような電気部品が配設されているので、前面枠セット１４とパチンコ機１０本体とを電気的に接続することが必要であるが、従来の遊技機では、前面扉が常に一方側縁で軸支された構造となっていたため、この軸支された側で配線を行うなどして前面扉と遊技機本体とを電気的に接続するようにすればよかった。ところが、本パチンコ機１０においては上述のように前面枠セット１４が二様開き可能に構成されており、いずれの側でも前面枠セット１４がパチンコ機１０本体から分離し得るようになっているため接続は行い難くなっている。
【０１５４】
そこで、本パチンコ機１０においては、上記一対の端縁部すなわち右側端縁部と左側端縁部との間における中央の位置を介して前面枠セット１４とパチンコ機１０本体側の内枠１２とを電気的に接続する構造となっている。これにより、前面枠セット１４が二様開き可能に構成されていながら、前面枠セット１４とパチンコ機１０本体との電気的な接続が容易かつ確実になされている。
【０１５５】
また、上記前面枠セット１４と上記内枠１２とが配線であるハーネス９３により電気的に接続され、該ハーネス９３が、案内部材である配線ガイド９０により保持されながら案内される構成となっているので、前面枠セット１４を閉じた状態において、ハーネス９３が外部にはみ出したり引っ掛かったりすることなく適正な体勢で収納されるようになっており、また一方、前面枠セット１４を開放した状態でも、ハーネス９３が配線ガイド９０により防護されて外力による影響が緩和されるようになっている。
【０１５６】
また、上記配線ガイド９０が折り畳み自在に構成されているので、前面枠セット１４を閉じるのにともなって配線ガイド９０が折り畳まれた体勢で内枠１２と前面枠セット１４との間にコンパクトに収納されることができるようになっている。
【０１５７】
また、上記前面枠セット１４に、折り畳まれた体勢の配線ガイド９０を収納可能な凹入部１４Ｎが形成されているので、配線ガイド９０がよりコンパクトに収納されるようになっている。
【０１５８】
（変更態様）
上記実施形態には、例えば以下に示すように種々の変更を加えることが可能である。
【０１５９】
（１）上記実施形態においては、開閉可能に構成された一対の作動片７２Ｆ、７３Ｆにそれぞれ軸嵌合切欠７２Ｒ、７３Ｒが設けられ、両作動片７２Ｆ、７３Ｆが閉じるのにともない両軸嵌合切欠７２Ｒ、７３Ｒが一体となって軸挿通孔が形成され、該軸挿通孔に回転軸８２Ｓが挿通されるようにして軸支機構が構成されていたが、軸支機構としてはこのようなものに限定されず、例えば図５３に示すように、開閉可能に構成された係合リング部９５に回転軸９６が着脱可能に軸支される構成としたもの等も可能である。なお、図５３に示す変更態様に係る軸支機構は、遊技機における左右両側端部で同様に構成されており、このため図５３では遊技機における右側端部のみを図示し、左側端部は図示省略している。
【０１６０】
図５３に示す変更態様に係る軸支機構においては、遊技機本体側部材９７の左右両側に、前方へ平面視概略台形状に突出する基部９５Ｂがそれぞれ配設され、前面扉（図示せず）の左右両側に、上下に延びる回転軸９６がそれぞれ配設されている。上記基部９５Ｂの先端面には、後方へ平面視半円状に凹入する凹入部９５Ｒが形成されている。基部９５Ｂの内部には、凹入部９５Ｒの後方に、該凹入部９５Ｒの周面に沿って周方向に移動可能に平面視概略半円状の可動リング片９５Ｍが収容され得るようになっており、凹入部９５Ｒの一方側（図５３では左側）から前方へ出入し得るように構成され、通常は付勢手段（図示せず）により同図に矢印Ａ２１で示すように前方へ出る方向（図５３では反時計回り方向）に１８０°近く回動して、凹入部９５Ｒとともに平面視略円形の軸挿通孔をなす閉止体勢に保持されるようになっている。こうして閉止体勢にある可動リング片９５Ｍは、シリンダ錠での鍵の操作による動力が駆動機構（図示せず）を介して伝達されることにより、同図に矢印Ａ２２で示すように基部９５Ｂの内部に収容される方向（図５３では時計回り方向）に１８０°近く回動し、これにより凹入部９５Ｒの前方が開放されて、回転軸９６の着脱が可能な体勢となるようになっている。
【０１６１】
本変更態様に係る軸支機構によっても、上記実施形態の場合と同様に、前面扉を二様開き可能に構成することができる。ただし、上記実施形態の場合には回転軸８２Ｓを押し込むようにするだけで軸挿通孔に挿通させることができるのに対し、本変更態様の場合には閉止体勢にある可動リング片９５Ｍを開放させてからでないと回転軸９６を軸挿通孔に挿通させることができない。また、本変更態様の場合にはリング片９５Ｍの回動範囲が大きく、駆動機構もやや複雑となるきらいがある。これらの点からは、上記実施形態に係る軸支機構のほうが有利である。
【０１６２】
（２）また、軸支機構として、例えば図５４に示すように、前面扉が閉じた体勢にあるときのみ回転軸１１１が前方へ脱離し得るように軸支される構成としたもの等も可能である。なお、図５４に示す変更態様に係る軸支機構は、遊技機における左右両側端部で左右対称に構成されており、このため図５４では遊技機における右側端部のみを図示し、左側端部は図示省略している。
【０１６３】
図５４に示す変更態様に係る軸支機構においては、遊技機本体側部材１１２の左右両側に、前方へ突出する軸挿通部１１３がそれぞれ配設され、前面扉（図示せず）の左右両側に、上下に延びる回転軸１１１がそれぞれ配設されている。該軸挿通部１１３の先端部には、平面視円孔状に上下に貫通する軸挿通孔１１３Ｐが穿設され、該軸挿通孔１１３Ｐの前側の周部には、該軸挿通孔１１３Ｐの径よりも小さい幅Ｗ１１のスリット１１３Ｓが形成されている。これにより、軸挿通部１１３の先端部が、スリット１１３Ｓを通して軸挿通孔１１３Ｐが前方の空間と連通する平面視略Ｃ字状の形状となっている。回転軸１１１は、上記軸挿通孔１１３Ｐの径よりも僅かに小さい径を有する金属製の丸棒状の軸となっているが、図５５に示すように、軸挿通部１１３に対応する高さ位置に、該軸挿通部１１３の厚さより若干大きい厚さ（高さ）Ｈ１１を有して左右両側から中心側へそれぞれ側面視矩形状に陥入する陥入部１１１Ｒがそれぞれ穿設されている。両陥入部１１１Ｒ間の距離Ｄ１１は、上記軸挿通部１１３におけるスリット１１３Ｓの幅Ｗ１１よりやや小さくなっている。上記両陥入部１１１Ｒが形成されることにより、回転軸１１１の周面が横断面略Ｄ字形状に切除されているが、この切除された周面と同一の周面を有する可動体１１１Ｍが両陥入部１１１Ｒにそれぞれ嵌入され、該陥入部１１１Ｒの陥入方向に沿って移動可能に保持されている。各可動体１１１Ｍは陥入部１１１Ｒの内部で付勢手段により外側方向へ付勢されており（図示せず）、図５４（ａ）に示すように、通常はその周面が回転軸１１１の周面と同一面をなす位置に保持されている。換言すれば、通常は可動体１１１Ｍが回転軸１１１の切除部を補填して、回転軸１１１が完全な丸棒と同等の外形をなすようになっている。図５５に矢印Ａ２４で示すように、付勢手段の付勢力に抗して内側（回転軸１１１の中心側）へ押し込むと、各可動体１１１Ｍは両陥入部１１１Ｒにそれぞれ没入するようになっている。
【０１６４】
図５４（ａ）に示すように、前面扉（図示せず）を閉じた状態では、回転軸１１１が軸挿通部１１３の軸挿通孔１１３Ｐ内に嵌入されて軸支されている。このとき、各可動体１１１Ｍは上述の通り外側方向へ付勢されることにより左右両側へ限界位置まで突出し、その周面が回転軸１１１の周面と同一面をなす体勢に保持されている。したがって、両可動体１１１Ｍの周面は、軸挿通孔１１３Ｐ内にあってスリット１１３Ｓの幅Ｗ１１よりも左右に大きく広がる体勢となるように付勢手段の付勢力により保持されているので、通常はスリット１１３Ｓから外方（前方）へ脱離することなく軸挿通孔１１３Ｐ内に軸支された体勢に保持されている。またこのとき、前面扉は左右方向中央部の一箇所でシリンダ錠および係合機構により施錠され（図示せず）、これにより閉じた状態に拘束されている。
【０１６５】
図５４（ｂ）に示すように、シリンダ錠による施錠状態を解除し、同図に矢印Ａ２５で示すように、前面扉の一方側（図５４では右側）を前方に引いて回転軸１１１を軸挿通孔１１３Ｐ内から外方（前方）へ引き出すように動かすと、この途上で両可動体１１１Ｍの周面がスリット１１３Ｓの両端縁に当接するが、回転軸１１１がさらに外方（前方）へ向かって移動していくのにともない、該可動体１１１Ｍの周面がカム面となって該可動体１１１Ｍが付勢手段の付勢力に抗して陥入部１１１Ｒ内に押し込まれて没入し、これにより、回転軸１１１が軸挿通孔１１３Ｐ内から外方（前方）へ脱出して軸支状態が解除され、前面扉を他方側（左側）の軸支機構で軸支しつつ開き戸状に左方へ開放すること即ち左開きとすることができる。一方、こうして左開きとした状態から、前面扉の一方側（図５４では右側）を再び元の位置に向けて即ち後方へ移動させ、このとき回転軸１１１を軸挿通部１１３のスリット１１３Ｓ内に押し込むようにすると、上述の引き出す場合（開放操作）と同様に、可動体１１１Ｍの周面がカム面となって陥入部１１１Ｒ内に押し込まれて没入し、これにより、回転軸１１１が軸挿通孔１１３Ｐ内に再び嵌入して、図５４（ａ）に示すものと同様の軸支体勢に復帰する。
【０１６６】
また一方、図５４（ａ）に示すように前面扉を閉じてシリンダ錠により施錠した状態から、この施錠状態を解除し、前面扉の他方側（左側）における軸支状態を上述の一方側（右側）の場合と同様にして解除して前面扉を右開きとすると、これにともない、前面扉の一方側（右側）の軸支機構がヒンジとして機能し、図５４（ｃ）に示すように、回転軸１１１が軸挿通部１１３の軸挿通孔１１３Ｐ内で回動する。回転軸１１１が回動すると、同図に示すように陥入部１１１Ｒの陥入方向（あるいは可動体１１１Ｍの出入方向）が左右方向から多少とも前後に傾いた体勢となり、このため、回転軸１１１における可動体１１１Ｍ以外の部位がスリット１１３Ｓの両側部にこだわって軸挿通孔１１３Ｐ内から脱出することができない。即ち、回転軸１１１が回動する間は、回転軸１１１が軸挿通孔１１３Ｐ内から脱出し得ず、したがって軸挿通孔１１３Ｐ内に軸支された体勢に確実に保持される。
【０１６７】
以上のように、前面扉を閉じてシリンダ錠により施錠した状態から、この施錠状態を解除すると、左側端部の軸支機構における軸支状態ならびに右側端部の軸支機構における軸支状態のいずれか一方を自在に選択的に解除し得る状態となり、一方の軸支機構における軸支状態を解除すると、他方の軸支機構においては確実に軸支状態を保持してヒンジとして機能することができるようになっている。これにより、前面扉の二様開きを容易かつ確実に行うことができる。
【０１６８】
（３）上記実施形態においては、鍵Ｋ１の回転による動力が、線状部材である第１ないし第４ワイア７６Ａ、７６Ｂ、７６Ｃ、７６Ｄを介して伝達されることにより、一対の軸支機構すなわち右上および右下軸支部７０Ａ、７０Ｂと左上および左下軸支部７０Ｃ、７０Ｄとの一対がそれぞれ駆動されるようになっていたが、このように動力が専ら機械的に伝達される機構以外にも、例えば、鍵の回転により電気的なスイッチがオンとなり、モータ、ソレノイド等の駆動源の動力が伝達されて軸支部が駆動される機構としてもよい（図示省略）。このように電気的な制御を用いて動力が伝達される機構によれば、鍵の操作位置から離隔した軸支部へ動力を機械的に伝達する線状部材等の伝達手段を配設する必要がないため、そのぶん構成を簡潔とすることができる。
【０１６９】
（４）上記実施形態においては、前面扉を開放操作するための操作機構として、鍵Ｋ１の操作によるシリンダ錠６２を用いた鍵操作機構が構成されていたが、操作機構としては、このような鍵操作機構以外にも、例えば、鍵を用いることなく操作するツマミ、レバー等の操作手段を備え、該操作手段の動力が伝達されて軸支部が開放駆動される機構としてもよい（図示省略）。ただしこの場合、通常は前面扉を鍵により施錠する機構を別に設けることが必要となるため、上記実施形態におけるように前面枠セット１４を開放操作する機能と鍵Ｋ１により施錠する機能とを併せて備える鍵操作機構とするほうが構成を簡潔とすることができる。
また、操作機構としては、上記実施形態におけるように鍵Ｋ１を挿入して操作するもの以外にも、例えばリモコンにより遠隔操作するもの等を用いるようにしてもよい。
【０１７０】
（５）上記実施形態においては、鍵操作機構が、シリンダ錠６２を押し込みながら鍵Ｋ１で回転させる、シリンダ錠６２を押し込まずに鍵Ｋ１で時計回り方向に回転させる、ならびにシリンダ錠６２を押し込まずに鍵Ｋ１で反時計回り方向に回転させる、という３通りの操作により、内枠１２の開放、前面枠セットの左開きおよび前面枠セットの右開きという３通りの開放が可能となっていたが、例えば、前面扉の左開きおよび右開きを行うための鍵操作機構と、内枠の開放を行う鍵操作機構とを個別に配設するようにしてもよい（図示省略）。ただし、機構の簡潔さや配設スペース等の点からしても、上記実施形態の場合のように共通の１つの鍵操作機構により３通りの開放が可能な構成とするほうが望ましい。
【０１７１】
（６）上記実施形態においては、軸支機構を駆動する動力を伝達する線状部材として第１ないし第４ワイア７６Ａ、７６Ｂ、７６Ｃ、７６Ｄが用いられていたが、線状部材としては、必要な可撓性や引張り強度等を有するものであれば任意のものが使用でき、例えば、樹脂、ゴム、金属等の各種材料よりなる糸状、紐状、ベルト状、チェーン状等の各種形態の部材を用いることができる。
【０１７２】
（７）上記実施形態においては、前面枠セット１４と内枠１２とが配線であるハーネス９３により電気的に接続され、該ハーネス９３が、案内部材である配線ガイド９０により保持されながら案内される構成となっていたが、例えば図５６に示すように、前面扉の左右方向中央部およびこれに対応する遊技機本体側部材の左右方向中央部にそれぞれ接続端子部を配設し、前面扉を閉じるとこれら接続端子部同士が接続される構成としてもよい。
【０１７３】
図５６に示す変更態様に係る接続構造においては、前面扉である前面枠セット９８の後面における上端部中央に横長の直方体状の凹部９８Ｒが形成され、該凹部９８Ｒ内の中央に接続端子部としてプラグコネクタＣ１１が配置固定されており、一方、遊技機本体側の部材である内枠９９の前面における上端部中央に接続端子部としてレセプタクルコネクタＣ１２が配置固定されている。前面枠セット９８を閉じると、これにともない同図に矢印Ａ２３で示すようにプラグコネクタＣ１１がレセプタクルコネクタＣ１２に挿入され、これにより前面枠セット９８と内枠９９とが電気的に接続されるようになっている。
【０１７４】
本変更態様に係る接続構造によれば、前面枠セット９８と内枠９９との間に配線（ハーネス）を架設することが不要となっており、したがって前面枠セット９８を開放した際に前面枠セット９８と内枠９９との間で空中に配線が架設されて衝撃を受けやすい体勢となることを避けることができ、また配線をこのような衝撃から防護しつつ案内する部材を配設することも不要とすることができる。また、前面枠セット９８を閉じた状態においても、配線や案内部材を収納する手段やスペースを設けることを不要とすることができる。
【０１７５】
（８）上記実施形態においては、案内部材である配線ガイド９０が、複数本のハーネス９３をハーネス留具９４により束ねながら固定するように構成されていたが、案内部材としては、例えば、筒状に成形して内部に複数本のハーネスを挿通するようにして案内しつつ保持する構成としてもよい。ただし、この構成によれば、内部に複数本のハーネスを挿通するのに手間を要し、また、ハーネスの挿通を容易とするために開閉可能に構成することも可能であるが、そのぶん構成が複雑となる。したがってこのような点からは、上記実施形態に係る配線ガイド９０のような構成が有利である。
また、ハーネス９３を固定する手段としては、上記ハーネス留具９４のようなものに限定されず、これ以外にも任意のものが使用できる。例えば、バンドの一方端に挿通孔を有し、該バンドを対象物（ハーネス）に環状に巻きつけ、他方端を挿通孔に挿通して環状部を縮小するように絞っていくことで対象物を結束する構成とした結束バンドを用い、ハーネス９３を結束した結束バンドを配線ガイド９０の掛止孔９１Ｐ、９２Ｐに固定するようにしてもよい（図示省略）。
【０１７６】
（９）上記実施形態においては、前面枠セット１４と内枠１２とが、対向する一対の端縁部である右側端縁部と左側端縁部との間におけるちょうど中央の位置を介して電気的に接続された構成となっていたが、前面扉と遊技機本体側の部材とは、対向する一対の端縁部の間における実質的に中央の位置を介して電気的に接続されるようにすればよい。
【０１７７】
この場合、電気的接続の位置としては、例えば、対向する一対の端縁間の間隔全体を１００％としたときの３０〜７０％程度、好ましくは４０〜６０％程度の範囲内とすることが望ましい。電気的接続の位置がちょうど中央の位置からいずれか一方にずれるほど、接続部間の最大距離も大となるが、電気的接続の位置が３０〜７０％程度の範囲内にあれば、このような接続部間の最大距離を過大とならない程度に抑えておくことができ、したがって接続部間を配線（ハーネス）で接続する場合にその長さが過大とならないようにすることができる。また、上述の変更態様のように接続端子部同士で接続する場合でも、接続位置が中央の位置からずれるほど、左開きにする場合と右開きにする場合とで接続端子部同士が当接し合う体勢（角度）の相違が大となって接続に無理が生じやすくなる。このため、電気的接続の位置としては、接続端子部の構造や前面扉の寸法（横幅）等によっても異なるが、一般には例えば、対向する一対の端縁間の間隔全体を１００％としたとき、中心より両側へそれぞれ１０％程度、好ましくは５％程度ずれた位置の範囲内とすることが望ましい。電気的接続の位置が上記範囲内にあれば、上述のような体勢（角度）の相違を過大とならない程度に抑えておくことができ、したがって接続端子部同士を無理なく接続し得る構成とすることができる。
【０１７８】
（１０）上記実施形態においては、一対の軸支機構（即ち右上および右下軸支部７０Ａ、７０Ｂと左上および左下軸支部７０Ｃ、７０Ｄとの一対）における軸支状態のうちのいずれか一方を選択的に解除し得る構成となっていたが、例えば図５７に摸式的に示すように、一対の軸支機構における軸支状態をいずれも解除することなく、いずれか一方を軸として開閉し得る構成としてもよい。
【０１７９】
図５７に示す変更態様においては、前面扉である前面枠セット１１４と遊技機本体側の部材である内枠１１５との間に、前面枠セット１１４を支持する部材である支持枠１１６が配置されている。前面枠セット１１４の一方側端部（図５７では左側端部）は支持枠１１６の一方側端部（左側端部）にブラケットを用いた通常のヒンジ機構１１４Ｈにより軸支され、前面枠セット１１４の他方側端部（図５７では右側端部）は支持枠１１６の他方側端部（右側端部）に、操作機構によって着脱することが可能な掛止機構（図示省略）により掛止されるようになっている。このように支持枠１１６において前面枠セット１１４が掛止機構（図示省略）により掛止された側の端部（図５７では右側端部）は内枠１１５において当該端部に対応する側の端部（右側端部）にブラケットを用いた通常のヒンジ機構１１６Ｈにより軸支され、支持枠１１６におけるもう一方の側端部（図５７では左側端部）は内枠１１５におけるもう一方の側端部（左側端部）に、操作機構によって着脱することが可能な掛止機構（図示省略）により掛止されるようになっている。
【０１８０】
前面枠セット１１４および支持枠１１６において掛止機構が配設された側の端部を押し込むと、図５７（ａ）に示すように、それぞれ支持枠１１６および内枠１１５に掛止して閉じた状態に保持される。図５７（ｂ）に示すように、操作機構を操作して前面枠セット１１４と支持枠１１６との掛止状態を解除すると、前面枠セット１１４が軸支側端部（図５７では左側端部）で回動させて矢印Ａ２６で示すように開き戸状に一方（左方）へ開放すること即ち左開きが可能な状態となる。一方、図５７（ｃ）に示すように、操作機構を操作して支持枠１１６と内枠１１５との掛止状態を解除すると、支持枠１１６が軸支側端部（図５７では右側端部）で回動させて矢印Ａ２７で示すように開き戸状に一方（右方）へ開放することが可能となり、従って即ち支持枠１１６を前面枠セット１１４ごと一方（右方）へ開放すること、換言すれば前面枠セット１１４の右開きが可能な状態となる。この構成により、前面枠セット１１４を左右のヒンジ機構１１４Ｈ、１１６Ｈにおける軸支状態のうちのいずれか一方を軸として開閉すること、即ち前面枠セット１１４を左右いずれの方向へも自在に選択的に開放する二様開きが可能となる。
【０１８１】
なお本明細書は、以下の内容をいずれも開示している。
【０１８２】
本発明にかかる遊技機は、手段Ａ１として、
本体部材（遊技球が流下する遊技領域が前面に形成された遊技盤）と、本体部材の前面（この遊技盤の盤面）側を覆う前面扉と、この前面扉を開放操作するための鍵操作機構とを備える遊技機であって、
前記前面扉が、対向する一対の端縁部でそれぞれ軸支機構により遊技機本体側の部材に着脱可能に軸支され、
前記鍵操作機構を操作することにより、前記一対の軸支機構における軸支状態のうちのいずれか一方を軸として開閉可能に構成されていることを特徴とする。
【０１８３】
本発明において、本体部材とは、遊技盤であってもよいが、例えば、外枠を本体部材とし、内枠を前面扉としてもよい。
また、遊技機本体側の部材には、例えば内枠等の枠部材のように、遊技機において前面扉を着脱可能に軸支するベース部材となり得る部材がいずれも含まれる。
また、前面扉における対向する一対の端縁部とは、換言すれば、開閉される場合の、軸となる複数箇所の端縁部、あるいは、前面扉が左右両側のそれぞれにおいて軸支される場合の、左側および右側のことである。また、例えば矩形状の前面扉の場合、対辺を構成する一対の端縁部（例えば左側端縁部および右側端縁部）が対向する一対の端縁部に該当する。なお、対向する一対の端縁部は、例えば左側端縁部および右側端縁部だけでなく、上側端縁部および下側端縁部も含意する。また、対向する一対の端縁部として、例えば、開閉される軸が２箇所あるうちの一方側および他方側ということもできる。
【０１８４】
上記手段Ａ１の構成によれば、前面扉を一対の端縁部でそれぞれ軸支機構により遊技機本体側の部材に軸支することによって、前面扉を閉じた状態（閉状態）で拘束することができる。一方、この閉状態で鍵操作機構を操作（開放操作）して一対の軸支機構における軸支状態のうちのいずれか一方を軸として開閉することによって、前面扉を回動させて開き戸式に開放することができる。即ち、前面扉における一対の端縁部のうち、いずれの端縁部を固定端（軸支側端）としいずれの端縁部を自由端とするかを自在に選択して切替えることができるので、前面扉をその一対の端縁部のうちのいずれの端縁部側へも自在に選択的に開放すること、即ち前面扉の二様開きが可能となる。
【０１８５】
したがって、盤面に対する各種作業を行う際には、作業を行う部位から比較的に離れた端縁部側へ前面扉を開放することにより、該前面扉が作業の邪魔とならないようにすることができる。
【０１８６】
また、両隣の遊技機のうち、例えば遊技中でない等の理由により比較的に邪魔になり難くなっている一方側へ選択的に前面扉を開放することにより、該前面扉が他方側に隣接する遊技機の遊技に対して邪魔とならないようにすることもできる。
【０１８７】
また、本発明にかかる遊技機は、手段Ａ２として、手段Ａ１の遊技機において、
前記軸支機構が、前記遊技機本体側の部材に配設された一対の作動片と、前記前面扉に配設された回転軸とを有して構成され、前記一対の作動片が、開閉可能に構成されて付勢手段で付勢されることにより通常は合わさって閉じた体勢に保持され、両作動片にはそれぞれ軸嵌合切欠が設けられ、両作動片が閉じるのにともない両軸嵌合切欠が一体となって軸挿通孔が形成されるように構成されていることを特徴とする。
【０１８８】
上記手段Ａ２の構成によれば、両作動片を開閉させて軸挿通孔に回転軸を挿通することにより、容易かつ確実に前面扉を遊技機本体側の部材に着脱可能に軸支することができる。
【０１８９】
また、本発明にかかる遊技機は、手段Ａ３として、手段Ａ１または手段Ａ２の遊技機において、
前記鍵操作機構が、鍵を挿入して一方に回転させると、前記一対の軸支機構における軸支状態のうちのいずれか一方を解除することができ、鍵を挿入して他方に回転させると、前記一対の軸支機構における軸支状態のうちの他方を解除することができるように構成されていることを特徴とする。
【０１９０】
上記手段Ａ３の構成によれば、鍵の操作により前面扉の二様開きを簡便かつ確実に行うことができる。
【０１９１】
また、本発明にかかる遊技機は、手段Ａ４として、手段Ａ３の遊技機において、
前記鍵の回転による動力が、線状部材を介して伝達されることにより、前記一対の軸支機構がそれぞれ駆動されるようになっていることを特徴とする。
【０１９２】
上記手段Ａ４の構成によれば、鍵の挿入部から離隔した駆動位置であっても、簡潔な構成により効果的に動力を伝達することができる。
【０１９３】
また、本発明にかかる遊技機は、手段Ａ５として、手段Ａ３または手段Ａ４の遊技機において、
前記前面扉が軸支される遊技機本体側の部材が内枠となっており、さらに該内枠が、遊技機本体側の別の部材に軸支されており、前記鍵操作機構が、鍵を挿入して押し込みながら回転させると、前記遊技機本体側の別の部材に対して前記内枠が閉じて拘束された状態が解除されるように構成されていることを特徴とする。
【０１９４】
上記手段Ａ５の構成によれば、前面扉の二様開きに内枠の開放もあわせた３通りの開放操作を鍵の操作により簡便かつ確実に行うことができる。
【０１９５】
また、本発明にかかる遊技機は、手段Ｂ１として、
本体部材（遊技球が流下する遊技領域が前面に形成された遊技盤）と、本体部材の前面（この遊技盤の盤面）側を覆う前面扉と、この前面扉を開放操作するための操作機構とを備える遊技機であって、
前記前面扉が、対向する一対の端縁部でそれぞれ軸支機構により遊技機本体側の部材に着脱可能に軸支され、
前記操作機構を操作することにより、前記一対の軸支機構における軸支状態のうちのいずれか一方を軸として開閉可能に構成され、
前記対向する一対の端縁部の間における実質的に中央の位置を介して、前記前面扉と前記遊技機本体とが電気的に接続されていることを特徴とする。
【０１９６】
本発明において、「前面扉を開放操作するための操作機構」には、鍵により操作するように構成されたもの（即ち鍵操作機構）以外にも、鍵を用いることなく例えばツマミ、レバー等の操作手段により操作するように構成されたもの等も含まれる。
【０１９７】
また、「対向する一対の端縁部の間における実質的に中央の位置」とは、対向する一対の端縁部の間における正に中央の位置のみならず、概ね中央部分の位置、例えば対向する一対の端縁間の間隔全体を１００％としたときの３０〜７０％程度の範囲内にある位置等も含意する。また、前述の通り、前面扉における対向する一対の端縁部とは、開閉される場合の、軸となる複数箇所の端縁部、あるいは、前面扉が左右両側のそれぞれにおいて軸支される場合の、左側および右側のことであり、また例えば、開閉される軸が２箇所あるうちの一方側および他方側ということもできるものであるから、「実質的に中央の位置」とは、開閉される軸の間における実質的に中央の位置ということもできる。
【０１９８】
上記手段Ｂ１の構成によれば、前面扉を一対の端縁部でそれぞれ軸支機構により遊技機本体側の部材に軸支することによって、前面扉を閉じた状態（閉状態）で拘束することができる。一方、この閉状態で操作機構を操作（開放操作）して一対の軸支機構における軸支状態のうちのいずれか一方を軸として開閉することによって、前面扉を回動させて開き戸式に開放することができる。即ち、前面扉における一対の端縁部のうち、いずれの端縁部を固定端（軸支側端）としいずれの端縁部を自由端とするかを自在に選択して切替えることができるので、前面扉をその一対の端縁部のうちのいずれの端縁部側へも自在に選択的に開放すること、即ち前面扉の二様開きが可能となる。
【０１９９】
したがって、盤面に対する各種作業を行う際には、作業を行う部位から比較的に離れた端縁部側へ前面扉を開放することにより、該前面扉が作業の邪魔とならないようにすることができる。
【０２００】
また、両隣の遊技機のうち、例えば遊技中でない等の理由により比較的に邪魔になり難くなっている一方側へ選択的に前面扉を開放することにより、該前面扉が他方側に隣接する遊技機の遊技に対して邪魔とならないようにすることもできる。
【０２０１】
ところで、前面扉には、例えば大当たり遊技状態時に点灯や点滅をさせるＬＥＤランプ等の電気部品が配設されることも多い。この場合、前面扉と遊技機本体とを電気的に接続することが必要となるが、従来は、前面扉が常に一方側縁で軸支された構造となっていたため、この軸支された側で配線を行うなどして前面扉と遊技機本体とを電気的に接続するようにすればよかった。ところが、上述のように前面扉を二様開きとする場合には、いずれの側でも前面扉が遊技機本体から分離し得るようになっているため接続は行い難い。
【０２０２】
そこで、手段Ｂ１においては、上記一対の端縁部の間における実質的に中央の位置を介して前面扉と遊技機本体とを電気的に接続する構造とするようにした。これにより、前面扉を二様開きとする場合であっても、前面扉と遊技機本体との電気的な接続を容易かつ確実に行うことができる。
【０２０３】
また、本発明にかかる遊技機は、手段Ｂ２として、手段Ｂ１の遊技機において、
前記前面扉と前記遊技機本体側の部材とが配線により電気的に接続され、該配線が、案内部材により保持されながら案内される構成となっていることを特徴とする。
【０２０４】
上記手段Ｂ２の構成によれば、前面扉を閉じた状態において、配線が外部にはみ出したり引っ掛かったりすることなく適正な体勢で収納され、また一方、前面扉を開放した状態でも、配線が案内部材により防護されて外力による影響が緩和される。
【０２０５】
また、本発明にかかる遊技機は、手段Ｂ３として、手段Ｂ２の遊技機において、
前記案内部材が折り畳み自在に構成されていることを特徴とする。
【０２０６】
上記手段Ｂ３の構成によれば、前面扉を閉じるのにともなって案内部材が折り畳まれた体勢で遊技機本体側の部材と前面扉との間にコンパクトに収納されることができる。
【０２０７】
また、本発明にかかる遊技機は、手段Ｂ４として、手段Ｂ３の遊技機において、
前記前面扉に、折り畳まれた体勢の前記案内部材を収納可能な凹入部が形成されていることを特徴とする。
【０２０８】
上記手段Ｂ４の構成によれば、案内部材がよりコンパクトに収納されるようになる。
【産業上の利用可能性】
【０２０９】
本発明は、パチンコ機等の遊技機に好適に実施することが可能である。
【符号の説明】
【０２１０】
１２：内枠（遊技機本体側の部材）
１４：前面枠セット（前面扉）
６２：シリンダ錠
７０Ａ：右上軸支部
７０Ｂ：右下軸支部
７０Ｃ：左上軸支部
７０Ｄ：左下軸支部
【図１】
0005867694.tif 000002
【図２】
0005867694.tif 000003
【図３】
0005867694.tif 000004
【図４】
0005867694.tif 000005
【図５】
0005867694.tif 000006
【図６】
0005867694.tif 000007
【図７】
0005867694.tif 000008
【図８】
0005867694.tif 000009
【図９】
0005867694.tif 000010
【図１０】
0005867694.tif 000011
【図１１】
0005867694.tif 000012
【図１２】
0005867694.tif 000013
【図１３】
0005867694.tif 000014
【図１４】
0005867694.tif 000015
【図１５】
0005867694.tif 000016
【図１６】
0005867694.tif 000017
【図１７】
0005867694.tif 000018
【図１８】
0005867694.tif 000019
【図１９】
0005867694.tif 000020
【図２０】
0005867694.tif 000021
【図２１】
0005867694.tif 000022
【図２２】
0005867694.tif 000023
【図２３】
0005867694.tif 000024
【図２４】
0005867694.tif 000025
【図２５】
0005867694.tif 000026
【図２６】
0005867694.tif 000027
【図２７】
0005867694.tif 000028
【図２８】
0005867694.tif 000029
【図２９】
0005867694.tif 000030
【図３０】
0005867694.tif 000031
【図３１】
0005867694.tif 000032
【図３２】
0005867694.tif 000033
【図３３】
0005867694.tif 000034
【図３４】
0005867694.tif 000035
【図３５】
0005867694.tif 000036
【図３６】
0005867694.tif 000037
【図３７】
0005867694.tif 000038
【図３８】
0005867694.tif 000039
【図３９】
0005867694.tif 000040
【図４０】
0005867694.tif 000041
【図４１】
0005867694.tif 000042
【図４２】
0005867694.tif 000043
【図４３】
0005867694.tif 000044
【図４４】
0005867694.tif 000045
【図４５】
0005867694.tif 000046
【図４６】
0005867694.tif 000047
【図４７】
0005867694.tif 000048
【図４８】
0005867694.tif 000049
【図４９】
0005867694.tif 000050
【図５０】
0005867694.tif 000051
【図５１】
0005867694.tif 000052
【図５２】
0005867694.tif 000053
【図５３】
0005867694.tif 000054
【図５４】
0005867694.tif 000055
【図５５】
0005867694.tif 000056
【図５６】
0005867694.tif 000057
【図５７】
0005867694.tif 000058